(57)【要約】      （修正有）【課題】占有面積当たりの容量の大きい容量素子を提供する。または、当該容量素子を有する半導体装置を提供する。または、集積度の高い半導体装置を提供する。または、新規な半導体装置を提供する。または、高精細の表示装置を提供する。または、安定した表示品位を有する表示装置を提供する。【解決手段】絶縁表面上の第１の導電膜および第２の導電膜と、絶縁表面上、第１の導電膜上および第２の導電膜上の第１の絶縁膜と、第１の絶縁膜を介して第１の導電膜と重なる半導体膜と、半導体膜と接する第３の導電膜と、半導体膜と接し、第１の絶縁膜を介して第２の導電膜と重なる第４の導電膜と、半導体膜上、第３の導電膜上および第４の導電膜上にあり、厚い領域および薄い領域を有する第２の絶縁膜と、第２の絶縁膜を介して半導体膜と重なる第５の導電膜と、第２の絶縁膜の薄い領域で第４の導電膜と重なる第６の導電膜と、を有する半導体装置である。【選択図】図４
2020184086.tif 000002
【特許請求の範囲】
【請求項１】
トランジスタと容量素子と発光素子とを有する表示装置であって、
第１の導電膜と、
前記第１の導電膜上の第１の絶縁膜及び第２の絶縁膜と、
前記第２の絶縁膜上の第１の酸化物半導体膜及び第２の酸化物半導体膜と、
前記第１の酸化物半導体膜上及び前記第２の酸化物半導体膜上の、第３の絶縁膜及び第４の絶縁膜と、
前記第２の酸化物半導体膜上の第２の導電膜と、を有し、
前記第１の酸化物半導体膜は、前記トランジスタのチャネル形成領域を有し、
前記第１の絶縁膜及び前記第２の絶縁膜は、前記トランジスタのゲート絶縁膜として機能する領域を有し、
前記第２の導電膜は、前記第１の絶縁膜に設けられたコンタクトホールと、前記第２の絶縁膜に設けられたコンタクトホールと、前記第３の絶縁膜に設けられたコンタクトホールと、前記第４の絶縁膜に設けられたコンタクトホールとを介して、前記第１の導電膜と電気的に接続され、
前記第１の導電膜と前記第２の導電膜とは、前記容量素子の一方の電極としての機能する領域を有し、
前記第２の酸化物半導体膜は、前記容量素子の他方の電極として機能する領域を有し、
前記チャネル形成領域は、前記第３の絶縁膜及び前記第４の絶縁膜と重なり、
前記第２の酸化物半導体膜は、前記第４の絶縁膜を介して前記第２の導電膜と重なる第１の領域を有し、
前記第１の領域は、前記第１の絶縁膜と前記第２の絶縁膜とを介して前記第１の導電膜と重なる、表示装置。
【請求項２】
請求項１において、
前記第１の酸化物半導体膜と前記第２の酸化物半導体膜は分離されている、表示装置。
【請求項３】
請求項１または請求項２において、
前記発光素子の画素電極の端部を覆うように配置された第５の絶縁膜を有し、
前記第１の領域は、前記第５の絶縁膜と重なる、表示装置。
【発明の詳細な説明】
【技術分野】
【０００１】
本発明は、物、方法、または、製造方法に関する。または、本発明は、プロセス、マシン
、マニュファクチャ、または、組成物（コンポジション・オブ・マター）に関する。特に
、本発明は、例えば、半導体装置、表示装置、液晶表示装置、エレクトロルミネッセンス
（ＥＬ：Ｅｌｅｃｔｒｏｌｕｍｉｎｅｓｃｅｎｃｅ）表示装置、発光装置、照明装置、記
憶装置、プロセッサに関する。または、半導体膜、半導体装置、表示装置、発光装置、照
明装置、蓄電装置、記憶装置、プロセッサの製造方法に関する。または、半導体装置、表
示装置、発光装置、照明装置、蓄電装置、記憶装置、プロセッサの駆動方法に関する。特
に、本発明の一態様は、トランジスタを有する半導体装置、表示装置、発光装置、記憶装
置、プロセッサ、またはそれらの駆動方法などに関する。または、本発明の一態様は、当
該半導体装置、当該表示装置、当該発光装置、当該記憶装置または当該プロセッサを有す
る電子機器などに関する。
【０００２】
なお、本明細書中において半導体装置とは、半導体特性を利用することで機能し得る装置
全般をいう。表示装置、発光装置、電気光学装置、半導体回路および電子機器などは、半
導体装置を有する場合がある。
【背景技術】
【０００３】
絶縁表面を有する基板上に形成された半導体膜を用いて、トランジスタを構成する技術が
注目されている。当該トランジスタは集積回路や表示装置のような半導体装置に広く応用
されている。
【０００４】
トランジスタに用いる半導体膜は、非晶質シリコン膜、多結晶シリコン膜、酸化物半導体
膜などが用途によって使い分けられている。例えば、大型の表示装置を構成するトランジ
スタには、大面積基板への成膜技術が確立されている非晶質シリコン膜または酸化物半導
体膜を用いると好適である。一方、駆動回路を一体形成した高機能の表示装置を構成する
トランジスタには、高い電界効果移動度を有するトランジスタを作製可能な多結晶シリコ
ン膜または酸化物半導体膜を用いると好適である。
【０００５】
近年は、携帯型情報端末の高精細化が進み、一画素当たりの面積は縮小している。画素の
面積が縮小することで、画素に占める配線、トランジスタおよび容量素子の割合は増大す
ることになる。配線の面積低減のためには、例えば、低抵抗な銅配線を用いることが有効
である。また、トランジスタの面積低減のためには、例えば、高い電界効果移動度を有す
る多結晶シリコン膜または酸化物半導体膜を用いることが有効である。
【０００６】
特許文献１には、酸化物半導体膜を用いたトランジスタと、酸化物半導体膜を用いた容量
素子と、を有する表示装置が開示されている。
【先行技術文献】
【特許文献】
【０００７】
【特許文献１】国際公開第２０１１／１４８５３７号
【発明の概要】
【発明が解決しようとする課題】
【０００８】
占有面積当たりの容量の大きい容量素子を提供することを課題の一とする。または、当該
容量素子を有する半導体装置を提供することを課題の一とする。または、集積度の高い半
導体装置を提供することを課題の一とする。または、新規な半導体装置を提供することを
課題の一とする。
【０００９】
または、高精細の表示装置を提供することを課題の一とする。または、安定した表示品位
を有する表示装置を提供することを課題の一とする。
【００１０】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１１】
本発明の一態様を以下に示す。
【００１２】
（１）絶縁表面上の第１の導電膜および第２の導電膜と、絶縁表面上、第１の導電膜上お
よび第２の導電膜上の第１の絶縁膜と、第１の絶縁膜を介して第１の導電膜と重なる半導
体膜と、半導体膜と接する第３の導電膜と、半導体膜と接し、第１の絶縁膜を介して第２
の導電膜と重なる第４の導電膜と、半導体膜上、第３の導電膜上および第４の導電膜上に
あり、厚い領域および薄い領域を有する第２の絶縁膜と、第２の絶縁膜を介して半導体膜
と重なる第５の導電膜と、第２の絶縁膜の薄い領域で第４の導電膜と重なる第６の導電膜
と、を有する半導体装置である。
【００１３】
（２）絶縁表面上の第１の導電膜および第２の導電膜と、絶縁表面上、第１の導電膜上お
よび第２の導電膜上にあり、厚い領域と薄い領域を有する第１の絶縁膜と、第１の絶縁膜
を介して第１の導電膜と重なる半導体膜と、半導体膜と接する第３の導電膜と、半導体膜
と接し、第１の絶縁膜の薄い領域で第２の導電膜と重なる第４の導電膜と、半導体膜上、
第３の導電膜上および第４の導電膜上の第２の絶縁膜と、第２の絶縁膜を介して半導体膜
と重なる第５の導電膜と、第２の絶縁膜を介して第４の導電膜と重なる第６の導電膜と、
を有する半導体装置である。
【００１４】
（３）絶縁表面上の第１の導電膜および第２の導電膜と、絶縁表面上、第１の導電膜上お
よび第２の導電膜上にあり、厚い領域と薄い領域を有する第１の絶縁膜と、第１の絶縁膜
を介して第１の導電膜と重なる半導体膜と、半導体膜と接する第３の導電膜と、半導体膜
と接し、第１の絶縁膜の薄い領域で第２の導電膜と重なる第４の導電膜と、半導体膜上、
第３の導電膜上および第４の導電膜上にあり、厚い領域および薄い領域を有する第２の絶
縁膜と、第２の絶縁膜を介して半導体膜と重なる第５の導電膜と、第２の絶縁膜の薄い領
域で第４の導電膜と重なる第６の導電膜と、を有する半導体装置である。
【００１５】
（４）半導体膜が酸化物半導体膜である（１）乃至（３）のいずれか一に記載の半導体装
置である。
【００１６】
（５）半導体膜が多結晶シリコン膜である（１）乃至（３）のいずれか一に記載の半導体
装置である。
【００１７】
（６）第２の絶縁膜上、第５の導電膜上および第６の導電膜上の第３の絶縁膜と、第３の
絶縁膜上にあり、第４の導電膜と電気的に接続される表示素子と、を有する（１）乃至（
５）のいずれか一に記載の半導体装置である。
【発明の効果】
【００１８】
占有面積当たりの容量の大きい容量素子を提供することができる。または、当該容量素子
を有する半導体装置を提供することができる。または、集積度の高い半導体装置を提供す
ることができる。または、新規な半導体装置を提供することができる。なお、本発明の一
態様はこれらの効果に限定されるものではない。例えば、本発明の一態様は、場合によっ
ては、または、状況に応じて、これらの効果以外の効果を有する場合もある。または、例
えば、本発明の一態様は、場合によっては、または、状況に応じて、これらの効果を有さ
ない場合もある。
【００１９】
または、高精細の表示装置を提供することができる。または、安定した表示品位を有する
表示装置を提供することができる。
【図面の簡単な説明】
【００２０】
【図１】本発明の一態様に係る容量素子の一例を示す断面図および回路図。
【図２】本発明の一態様に係る表示装置の一例を示す回路図、上面図および断面図。
【図３】本発明の一態様に係る表示装置の一例を示す断面図。
【図４】本発明の一態様に係る表示装置の一例を示す断面図。
【図５】本発明の一態様に係る表示装置の一例を示す回路図および断面図。
【図６】本発明の一態様に係る表示装置の一例を示す回路図、上面図および断面図。
【図７】本発明の一態様に係る表示装置の画素におけるしきい値電圧補正を説明するタイミングチャートおよび回路図。
【図８】本発明の一態様に係る表示装置の画素におけるしきい値電圧補正を説明する回路図。
【図９】本発明の一態様に係る表示装置の作製方法の一例を示す上面図および断面図。
【図１０】本発明の一態様に係る表示装置の作製方法の一例を示す上面図および断面図。
【図１１】本発明の一態様に係る表示装置の作製方法の一例を示す上面図および断面図。
【図１２】本発明の一態様に係る表示装置の作製方法の一例を示す上面図および断面図。
【図１３】本発明の一態様に係る表示装置の作製方法の一例を示す上面図および断面図。
【図１４】本発明の一態様に係る表示装置の作製方法の一例を示す上面図および断面図。
【図１５】本発明の一態様に係る表示装置の作製方法の一例を示す上面図および断面図。
【図１６】本発明の一態様に係る表示装置の作製方法の一例を示す上面図および断面図。
【図１７】本発明の一態様に係る表示装置のしきい値電圧補正能力を示す図。
【図１８】本発明の一態様に係る表示モジュールを説明する図。
【図１９】本発明の一態様に係る電子機器および照明装置の一例を説明する図。
【図２０】本発明の一態様に係る電子機器の一例を説明する図。
【図２１】本発明の一態様に係る表示装置の写真。
【図２２】本発明の一態様に係る走査線駆動回路の回路図。
【図２３】走査線駆動回路の接続関係を示した図。
【図２４】本発明の一態様に係るシフトレジスタの回路図。
【図２５】本発明の一態様に係るシフトレジスタの回路図。
【図２６】本発明の一態様に係るシフトレジスタの回路図。
【図２７】本発明の一態様に係るシフトレジスタの回路図。
【図２８】本発明の一態様に係るインバータの回路図。
【図２９】本発明の一態様に係る走査線駆動回路のタイミングチャート。
【図３０】本発明の一態様に係る走査線駆動回路の出力波形を示す図。
【図３１】本発明の一態様に係る表示装置のＲＧＢ各色の色座標を示す図。
【発明を実施するための形態】
【００２１】
本発明の実施の形態について、図面を用いて詳細に説明する。ただし、本発明は以下の説
明に限定されず、その形態および詳細を様々に変更し得ることは、当業者であれば容易に
理解される。また、本発明は以下に示す実施の形態の記載内容に限定して解釈されるもの
ではない。なお、図面を用いて発明の構成を説明するに当たり、同じものを指す符号は異
なる図面間でも共通して用いる。なお、同様のものを指す際にはハッチパターンを同じく
し、特に符号を付さない場合がある。
【００２２】
なお、ある一つの実施の形態の内容は、別の実施の形態の内容に対して、適用、組み合わ
せ、または置き換えなどを行うことができる。
【００２３】
なお、図において、大きさ、層の厚さ、または領域は、明瞭化のために誇張されている場
合がある。よって、必ずしもそのスケールに限定されない。
【００２４】
また、電圧は、ある電位と、基準の電位（例えば接地電位（ＧＮＤ）またはソース電位）
との電位差のことを示す場合が多い。よって、電圧を電位と言い換えることが可能である
。
【００２５】
本明細書においては、「電気的に接続する」と表現される場合であっても、現実の回路に
おいては、物理的な接続部分がなく、配線が延在しているだけの場合もある。
【００２６】
なお、第１、第２として付される序数詞は便宜上用いるものであり、工程順または積層順
を示すものではない。そのため、例えば、「第１の」を「第２の」または「第３の」など
と適宜置き換えて説明することができる。また、本明細書等に記載されている序数詞と、
本発明の一態様を特定するために用いられる序数詞は一致しない場合がある。
【００２７】
本明細書において、例えば、物体の形状を「径」、「粒径」、「大きさ」、「サイズ」、
「幅」などで規定する場合、物体が収まる最小の立方体における一辺の長さ、または物体
の一断面における円相当径と読み替えてもよい。物体の一断面における円相当径とは、物
体の一断面と等しい面積となる正円の直径をいう。
【００２８】
なお、「半導体」と表記した場合でも、例えば、導電性が十分低い場合は「絶縁体」とし
ての特性を有する場合がある。また、「半導体」と「絶縁体」は境界が曖昧であり、厳密
に区別できない場合がある。したがって、本明細書に記載の「半導体」は、「絶縁体」と
言い換えることができる場合がある。同様に、本明細書に記載の「絶縁体」は、「半導体
」と言い換えることができる場合がある。
【００２９】
また、「半導体」と表記した場合でも、例えば、導電性が十分高い場合は「導電体」とし
ての特性を有する場合がある。また、「半導体」と「導電体」は境界が曖昧であり、厳密
に区別できない場合がある。したがって、本明細書に記載の「半導体」は、「導電体」と
言い換えることができる場合がある。同様に、本明細書に記載の「導電体」は、「半導体
」と言い換えることができる場合がある。
【００３０】
なお、半導体膜の不純物とは、例えば、半導体膜を構成する主成分以外をいう。例えば、
濃度が０．１ａｔｏｍｉｃ％未満の元素は不純物である。不純物が含まれることにより、
例えば、半導体膜にキャリアトラップが形成されることや、キャリア移動度が低下するこ
とや、結晶性が低下することなどが起こる場合がある。半導体膜が酸化物半導体膜である
場合、半導体膜の特性を変化させる不純物としては、例えば、第１族元素、第２族元素、
第１４族元素、第１５族元素、主成分以外の遷移金属などがあり、特に、例えば、水素（
水にも含まれる）、リチウム、ナトリウム、シリコン、ホウ素、リン、炭素、窒素などが
ある。酸化物半導体の場合、不純物の混入によって酸素欠損を形成する場合がある。また
、半導体膜がシリコン膜である場合、半導体膜の特性を変化させる不純物としては、例え
ば、酸素、水素を除く第１族元素、第２族元素、第１３族元素、第１５族元素などがある
。
【００３１】
また、本明細書において、過剰酸素とは、例えば、化学量論的組成を超えて含まれる酸素
をいう。または、過剰酸素とは、例えば、加熱することで放出される酸素をいう。過剰酸
素は、例えば、膜や層の内部を移動することができる。過剰酸素の移動は、膜や層の原子
間を移動する場合と、膜や層を構成する酸素と置き換わりながら玉突き的に移動する場合
とがある。また、過剰酸素を含む絶縁膜は、例えば、加熱処理によって酸素を放出する機
能を有する絶縁膜である。
【００３２】
また、本明細書において、「平行」とは、二つの直線が−１０°以上１０°以下の角度で
配置されている状態をいう。したがって、−５°以上５°以下の場合も含まれる。また、
「垂直」とは、二つの直線が８０°以上１００°以下の角度で配置されている状態をいう
。したがって、８５°以上９５°以下の場合も含まれる。
【００３３】
実施の形態において、導電膜としては、例えば、アルミニウム、チタン、クロム、コバル
ト、ニッケル、銅、イットリウム、ジルコニウム、モリブデン、ルテニウム、銀、タンタ
ルまたはタングステンを含む導電膜を、単層で、または積層で用いればよい。または、透
過性を有する導電膜としては、例えば、Ｉｎ−Ｚｎ−Ｗ酸化物膜、Ｉｎ−Ｓｎ酸化物膜、
Ｉｎ−Ｚｎ酸化物膜、酸化インジウム膜、酸化亜鉛膜および酸化スズ膜などの酸化物膜を
用いればよい。また、前述の酸化物膜は、Ａｌ、Ｇａ、Ｓｂ、Ｆなどが微量添加されても
よい。また、光を透過する程度の金属薄膜（好ましくは、５ｎｍ以上３０ｎｍ以下程度）
を用いることもできる。例えば５ｎｍの膜厚を有するＡｇ膜、Ｍｇ膜またはＡｇ−Ｍｇ合
金膜を用いてもよい。または、可視光を効率よく反射する膜としては、例えば、リチウム
、アルミニウム、チタン、マグネシウム、ランタン、銀、シリコンまたはニッケルを含む
膜を用いればよい。
【００３４】
また、絶縁膜としては、例えば、酸化アルミニウム、酸化マグネシウム、酸化シリコン、
酸化窒化シリコン、窒化酸化シリコン、窒化シリコン、酸化ガリウム、酸化ゲルマニウム
、酸化イットリウム、酸化ジルコニウム、酸化ランタン、酸化ネオジム、酸化ハフニウム
または酸化タンタルを含む絶縁膜を、単層で、または積層で用いればよい。または、ポリ
イミド樹脂、アクリル樹脂、エポキシ樹脂、シリコーン樹脂などの樹脂膜を用いても構わ
ない。
【００３５】
＜容量素子について＞
以下では、本発明の一態様に係る容量素子について、図１を用いて説明する。
【００３６】
図１（Ａ）、図１（Ｂ）および図１（Ｃ）に、容量素子の断面図の一例を示す。
【００３７】
図１（Ａ）に示す容量素子は、基板１００上の導電膜１０４と、導電膜１０４上の絶縁膜
１１２と、絶縁膜１１２を介して導電膜１０４と重なる導電膜１１６と、導電膜１１６上
の厚い領域および薄い領域を有する絶縁膜１１８と、絶縁膜１１８の薄い領域を介して導
電膜１１６と重なる導電膜１１４と、を有する。なお、導電膜１１４は、絶縁膜１１２お
よび絶縁膜１１８の開口部を介して、導電膜１０４と電気的に接続する。
【００３８】
図１（Ｂ）に示す容量素子は、基板１００上の導電膜１０４と、導電膜１０４上の厚い領
域および薄い領域を有する絶縁膜１１２と、絶縁膜１１２の薄い領域を介して導電膜１０
４と重なる導電膜１１６と、導電膜１１６上の絶縁膜１１８と、絶縁膜１１８を介して導
電膜１１６と重なる導電膜１１４と、を有する。なお、導電膜１１４は、絶縁膜１１２お
よび絶縁膜１１８の開口部を介して、導電膜１０４と電気的に接続する。
【００３９】
図１（Ｃ）に示す容量素子は、基板１００上の導電膜１０４と、導電膜１０４上の厚い領
域および薄い領域を有する絶縁膜１１２と、絶縁膜１１２の薄い領域を介して導電膜１０
４と重なる導電膜１１６と、導電膜１１６上の厚い領域および薄い領域を有する絶縁膜１
１８と、絶縁膜１１８の薄い領域を介して導電膜１１６と重なる導電膜１１４と、を有す
る。なお、導電膜１１４は、絶縁膜１１２および絶縁膜１１８の開口部を介して、導電膜
１０４と電気的に接続する。
【００４０】
例えば、様々な基板を用いて、トランジスタや容量素子を作製することができる。基板の
種類は、特定のものに限定されることはない。その基板の一例としては、半導体基板（例
えば単結晶基板またはシリコン基板）、ＳＯＩ基板、ガラス基板、石英基板、プラスチッ
ク基板、金属基板、ステンレス・スチル基板、ステンレス・スチル・ホイルを有する基板
、タングステン基板、タングステン・ホイルを有する基板、可とう性基板、貼り合わせフ
ィルム、繊維状の材料を含む紙、または基材フィルムなどがある。ガラス基板の一例とし
ては、バリウムホウケイ酸ガラス、アルミノホウケイ酸ガラス、またはソーダライムガラ
スなどがある。可とう性基板の一例としては、ポリエチレンテレフタレート（ＰＥＴ）、
ポリエチレンナフタレート（ＰＥＮ）、ポリエーテルサルフォン（ＰＥＳ）に代表される
プラスチック、またはアクリル等の可とう性を有する合成樹脂などがある。貼り合わせフ
ィルムの一例としては、ポリプロピレン、ポリエステル、ポリフッ化ビニル、またはポリ
塩化ビニルなどがある。基材フィルムの一例としては、ポリエステル、ポリアミド、ポリ
イミド、無機蒸着フィルム、または紙類などがある。特に、半導体基板、またはＳＯＩ基
板などを用いてトランジスタを製造することによって、特性、サイズ、または形状などの
ばらつきが小さく、電流能力が高く、サイズの小さいトランジスタを製造することができ
る。このようなトランジスタによって回路を構成すると、回路の低消費電力化、または回
路の高集積化を図ることができる。
【００４１】
なお、ある基板を用いてトランジスタや容量素子を作製し、その後、別の基板にトランジ
スタや容量素子を転置し、別の基板上にトランジスタや容量素子を配置してもよい。トラ
ンジスタや容量素子が転置される基板の一例としては、上述したトランジスタや容量素子
を作製することが可能な基板に加え、紙基板、セロファン基板、石材基板、木材基板、布
基板（天然繊維（絹、綿、麻）、合成繊維（ナイロン、ポリウレタン、ポリエステル）も
しくは再生繊維（アセテート、キュプラ、レーヨン、再生ポリエステル）などを含む）、
皮革基板、またはゴム基板などがある。これらの基板を用いることにより、特性のよいト
ランジスタの作製、消費電力の小さいトランジスタの作製、壊れにくい装置の作製、耐熱
性の付与、軽量化、または薄型化を図ることができる。
【００４２】
なお、所定の機能を実現させるために必要な回路の全てを、同一の基板に作製することが
可能である。こうして、部品点数の削減によるコストの低減、または回路部品との接続点
数の低減による信頼性の向上を図ることができる。
【００４３】
なお、所定の機能を実現させるために必要な回路の全てを同じ基板に作製しなくてもよい
。つまり、所定の機能を実現させるために必要な回路の一部は、ある基板に作製され、所
定の機能を実現させるために必要な回路の別の一部は、別の基板に作製してもよい。例え
ば、所定の機能を実現させるために必要な回路の一部は、ガラス基板に作製され、所定の
機能を実現させるために必要な回路の別の一部は、半導体基板（またはＳＯＩ基板）に作
製することができる。そして、所定の機能を実現させるために必要な回路の別の一部が作
製される半導体基板（ＩＣチップともいう。）を、ＣＯＧ（Ｃｈｉｐ  Ｏｎ  Ｇｌａｓｓ
）によって、ガラス基板に接続して、ガラス基板にそのＩＣチップを配置することが可能
である。または、ＩＣチップを、ＴＡＢ（Ｔａｐｅ  Ａｕｔｏｍａｔｅｄ  Ｂｏｎｄｉｎ
ｇ）、ＣＯＦ（Ｃｈｉｐ  Ｏｎ  Ｆｉｌｍ）、ＳＭＴ（Ｓｕｒｆａｃｅ  Ｍｏｕｎｔ  Ｔ
ｅｃｈｎｏｌｏｇｙ）、またはプリント基板などを用いてガラス基板と接続することが可
能である。このように、回路の一部が画素部と同じ基板に作製されていることにより、部
品点数の削減によるコストの低減、または回路部品との接続点数の低減による信頼性の向
上を図ることができる。特に、駆動電圧が大きい部分の回路、または駆動周波数が高い部
分の回路などは、消費電力が大きくなってしまう場合が多い。そこで、このような回路を
、画素部とは別の基板に作製して、ＩＣチップを構成する。このＩＣチップを用いること
によって、消費電力の増加を防ぐことができる。
【００４４】
図１（Ａ）、図１（Ｂ）および図１（Ｃ）に示す容量素子は、導電膜１０４、絶縁膜１１
２および導電膜１１６を有する容量素子Ｃ１と、導電膜１１６、絶縁膜１１８および導電
膜１１４を有する容量素子Ｃ２と、を有する。したがって、図１（Ａ）、図１（Ｂ）およ
び図１（Ｃ）に示す容量素子は、容量素子Ｃ１と容量素子Ｃ２とが並列に接続された回路
図で示すことができる（図１（Ｄ）参照。）。即ち、図１（Ａ）、図１（Ｂ）および図１
（Ｃ）に示す容量素子の容量は、容量素子Ｃ１の容量と容量素子Ｃ２の容量の和となる。
【００４５】
図１（Ａ）に示す容量素子において、容量素子Ｃ２は絶縁膜１１８の薄い領域を利用する
ため、占有面積当たりの容量を大きくすることができる。また、図１（Ｂ）に示す容量素
子において、容量素子Ｃ１は絶縁膜１１２の薄い領域を利用するため、占有面積当たりの
容量を大きくすることができる。図１（Ｃ）に示す容量素子において、容量素子Ｃ１は絶
縁膜１１２の薄い領域を利用し、容量素子Ｃ２は絶縁膜１１８の薄い領域を利用するため
、占有面積当たりの容量を大きくすることができる。
【００４６】
このように、図１（Ａ）、図１（Ｂ）および図１（Ｃ）に示す容量素子は、占有面積当た
りの容量が大きい容量素子である。
【００４７】
図１（Ａ）、図１（Ｂ）および図１（Ｃ）に示した容量素子を半導体装置に用いることで
、半導体装置の集積度を高めることができる。また、小さい占有面積で大きな容量の容量
素子を有する半導体装置を提供することができる。
【００４８】
図１（Ａ）、図１（Ｂ）および図１（Ｃ）に示した容量素子は、例えば、トランジスタと
同一工程を経て作製することができる。例えば、導電膜１０４と同一工程を経て形成され
た導電膜をトランジスタのゲート電極として利用することができる。また、例えば、絶縁
膜１１２と同一工程を経て形成された絶縁膜をトランジスタのゲート絶縁膜として利用す
ることができる。また、例えば、導電膜１１６と同一工程を経て形成された導電膜をトラ
ンジスタのソース電極またはドレイン電極として利用することができる。また、例えば、
絶縁膜１１８と同一工程を経て形成された絶縁膜をトランジスタの保護絶縁膜として利用
することができる。また、例えば、導電膜１１４と同一工程を経て形成された導電膜をト
ランジスタの第２のゲート電極として利用することができる。なお、導電膜１１４と同一
工程を経て形成された導電膜をトランジスタの第２のゲート電極として利用する場合、絶
縁膜１１８と同一工程を経て形成された絶縁膜をトランジスタの第２のゲート絶縁膜とし
て機能させることができる。なお、容量素子を構成する絶縁膜の厚い領域および薄い領域
は、多諧調マスク（グレイトーンマスクともいう。）を用いたフォトリソグラフィ工程に
よって形成しても構わない。多諧調マスクを用いることよって、フォトマスク数を低減す
ることが可能となり、生産性を高めることができる場合がある。
【００４９】
このようにトランジスタと容量素子とを組み合わせることで、任意の半導体装置を作製す
ることができる。半導体装置の一例としては、表示装置、記憶装置、プロセッサなどが挙
げられる。図１（Ａ）、図１（Ｂ）および図１（Ｃ）に示す容量素子は、占有面積当たり
の容量が大きい容量素子であるため、表示品位の高い表示装置、保持特性の優れた記憶装
置、消費電力の小さいプロセッサなどを実現することができる。また、高精細の表示装置
、集積度の高い記憶装置およびプロセッサを実現することができる。
【００５０】
図１（Ａ）、図１（Ｂ）および図１（Ｃ）に示した容量素子を構成する導電膜の少なくと
も一部に、透光性を有する導電膜を用いてもよい。その場合、例えば、該容量素子を用い
た表示装置の開口率を高めることができる場合がある。または、該容量素子を用いた表示
装置の消費電力を低減することができる場合がある。
【００５１】
ただし、本発明の実施形態の一態様は、これに限定されない。場合によっては、または、
状況に応じて、容量素子は、容量素子が有する絶縁膜が薄くなくてもよい。
【００５２】
＜表示装置について＞
以下では、本発明の一態様に係る表示装置について、図２乃至図１４を用いて説明する。
【００５３】
表示装置に用いられる表示素子としては液晶素子（液晶表示素子ともいう。）、発光素子
（発光表示素子ともいう。）などを用いることができる。発光素子は、電流または電圧に
よって輝度が制御される素子をその範疇に含んでおり、具体的には無機ＥＬ、有機ＥＬな
どを含む。また、電子インク、電気泳動素子など、電気的作用によりコントラストが変化
する表示媒体や、グレーティングライトバルブ（ＧＬＶ）、プラズマディスプレイパネル
（ＰＤＰ）、ＭＥＭＳ（マイクロ・エレクトロ・メカニカル・システム）、デジタルマイ
クロミラーデバイス（ＤＭＤ）、ＤＭＳ（デジタル・マイクロ・シャッター）、ＩＭＯＤ
（インターフェアレンス・モジュレーション）素子、エレクトロウェッティング素子、圧
電セラミックディスプレイ、カーボンナノチューブ、など、も表示素子として適用するこ
とができる。以下では、表示装置の一例としてＥＬ素子を用いた表示装置（ＥＬ表示装置
）および液晶素子を用いた表示装置（液晶表示装置）について説明する。
【００５４】
なお、以下に示す表示装置は、表示素子が封止された状態にあるパネルと、該パネルにコ
ントローラを含むＩＣなどを実装した状態にあるモジュールとを含む。
【００５５】
また、以下に示す表示装置は画像表示デバイス、または光源（照明装置含む）を指す。ま
た、コネクター、例えばＦＰＣ、ＴＣＰが取り付けられたモジュール、ＴＣＰの先にプリ
ント配線板を有するモジュールまたは表示素子にＣＯＧ方式によりＩＣ（集積回路）が直
接実装されたモジュールも全て表示装置に含むものとする。
【００５６】
図２は、本発明の一態様に係るＥＬ表示装置の一例である。図２（Ａ）に、ＥＬ表示装置
の画素の回路図を示す。図２（Ｂ）は、ＥＬ表示装置全体を示す上面図である。また、図
２（Ｃ）は、図２（Ｂ）の一点鎖線Ｍ−Ｎの一部に対応するＭ−Ｎ断面である。
【００５７】
図２（Ａ）は、ＥＬ表示装置に用いられる画素の回路図の一例である。
【００５８】
なお、本明細書等においては、能動素子（トランジスタ、ダイオードなど）、受動素子（
容量素子、抵抗素子など）などが有するすべての端子について、その接続先を特定しなく
ても、当業者であれば、発明の一態様を構成することは可能な場合がある。つまり、接続
先を特定しなくても、発明の一態様が明確であるといえる。そして、接続先が特定された
内容が、本明細書等に記載されている場合、接続先を特定しない発明の一態様が、本明細
書等に記載されていると判断することが可能な場合がある。特に、端子の接続先として複
数の箇所が想定される場合には、その端子の接続先を特定の箇所に限定する必要はない。
したがって、能動素子（トランジスタ、ダイオードなど）、受動素子（容量素子、抵抗素
子など）などが有する一部の端子についてのみ、その接続先を特定することによって、発
明の一態様を構成することが可能な場合がある。
【００５９】
なお、本明細書等においては、ある回路について、少なくとも接続先を特定すれば、当業
者であれば、発明を特定することが可能な場合がある。または、ある回路について、少な
くとも機能を特定すれば、当業者であれば、発明を特定することが可能な場合がある。つ
まり、機能を特定すれば、発明の一態様が明確であるといえる。そして、機能が特定され
た発明の一態様が、本明細書等に記載されていると判断することが可能な場合がある。し
たがって、ある回路について、機能を特定しなくても、接続先を特定すれば、発明の一態
様として開示されているものであり、発明の一態様を構成することが可能である。または
、ある回路について、接続先を特定しなくても、機能を特定すれば、発明の一態様として
開示されているものであり、発明の一態様を構成することが可能である。
【００６０】
図２（Ａ）に示すＥＬ表示装置は、スイッチ素子７４３と、トランジスタ７４１と、容量
素子７４２と、発光素子７１９と、を有する。
【００６１】
なお、図２（Ａ）などは、回路構成の一例であるため、さらに、トランジスタを追加する
ことが可能である。逆に、図２（Ａ）の各ノードにおいて、トランジスタ、スイッチ、受
動素子などを追加しないようにすることも可能である。
【００６２】
トランジスタ７４１のゲートはスイッチ素子７４３の一端および容量素子７４２の一方の
電極と電気的に接続される。トランジスタ７４１のソースは容量素子７４２の他方の電極
と電気的に接続され、発光素子７１９の一方の電極と電気的に接続される。トランジスタ
７４１のドレインは電源電位ＶＤＤが与えられる。スイッチ素子７４３の他端は信号線７
４４と電気的に接続される。発光素子７１９の他方の電極は定電位が与えられる。なお、
定電位は接地電位ＧＮＤまたはそれより小さい電位とする。
【００６３】
スイッチ素子７４３としては、トランジスタを用いると好ましい。トランジスタを用いる
ことで、画素の面積を小さくでき、解像度の高いＥＬ表示装置とすることができる。また
、スイッチ素子７４３として、トランジスタ７４１と同一工程を経て作製されたトランジ
スタを用いると、ＥＬ表示装置の生産性を高めることができる。
【００６４】
図２（Ｂ）は、ＥＬ表示装置の上面図である。ＥＬ表示装置は、基板７００と、基板７５
０と、シール材７３４と、駆動回路７３５と、駆動回路７３６と、画素７３７と、ＦＰＣ
７３２と、を有する。シール材７３４は、画素７３７、駆動回路７３５および駆動回路７
３６を囲むように基板７００と基板７５０との間に配置される。なお、駆動回路７３５ま
たは／および駆動回路７３６をシール材７３４の外側に配置しても構わない。
【００６５】
図２（Ｃ）は、図２（Ｂ）の一点鎖線Ｍ−Ｎの一部に対応するＥＬ表示装置の断面図であ
る。
【００６６】
図２（Ｃ）には、トランジスタ７４１として、基板７００上の導電膜７０４ａと、導電膜
７０４ａ上の絶縁膜７１２ａと、絶縁膜７１２ａ上の絶縁膜７１２ｂと、絶縁膜７１２ｂ
上にあり導電膜７０４ａと重なる半導体膜７０６と、半導体膜７０６と接する導電膜７１
６ａおよび導電膜７１６ｂと、半導体膜７０６上、導電膜７１６ａ上および導電膜７１６
ｂ上の絶縁膜７１８ａと、絶縁膜７１８ａ上の絶縁膜７１８ｂと、絶縁膜７１８ｂ上の絶
縁膜７１８ｃと、絶縁膜７１８ｃ上にあり半導体膜７０６と重なる導電膜７１４ａと、を
有する構造を示す。なお、トランジスタ７４１の構造は一例であり、図２（Ｃ）に示す構
造と異なる構造であっても構わない。
【００６７】
したがって、図２（Ｃ）に示すトランジスタ７４１において、導電膜７０４ａはゲート電
極として機能し、絶縁膜７１２ａおよび絶縁膜７１２ｂはゲート絶縁膜として機能し、導
電膜７１６ａはソース電極として機能し、導電膜７１６ｂはドレイン電極として機能し、
絶縁膜７１８ａ、絶縁膜７１８ｂおよび絶縁膜７１８ｃはゲート絶縁膜として機能し、導
電膜７１４ａはゲート電極として機能する。なお、半導体膜７０６は、光が当たることで
電気特性が変動する場合がある。したがって、導電膜７０４ａ、導電膜７１６ａ、導電膜
７１６ｂ、導電膜７１４ａのいずれか一以上が遮光性を有すると好ましい。
【００６８】
なお、絶縁膜７１８ａおよび絶縁膜７１８ｂの界面を破線で表したが、これは両者の境界
が明確でない場合があることを示す。例えば、絶縁膜７１８ａおよび絶縁膜７１８ｂとし
て、同種の絶縁膜を用いた場合、観察手法によっては両者の区別が付かない場合がある。
【００６９】
図２（Ｃ）には、容量素子７４２として、基板上の導電膜７０４ｂと、導電膜７０４ｂ上
の絶縁膜７１２ａと、絶縁膜７１２ａ上の絶縁膜７１２ｂと、絶縁膜７１２ｂ上にあり導
電膜７０４ｂと重なる導電膜７１６ａと、導電膜７１６ａ上の絶縁膜７１８ａと、絶縁膜
７１８ａ上の絶縁膜７１８ｂと、絶縁膜７１８ｂ上の絶縁膜７１８ｃと、絶縁膜７１８ｃ
上にあり導電膜７１６ａと重なる導電膜７１４ｂと、を有し、導電膜７１６ａおよび導電
膜７１４ｂの重なる領域で、絶縁膜７１８ａおよび絶縁膜７１８ｂの一部が除去されてい
る構造を示す。
【００７０】
容量素子７４２において、導電膜７０４ｂおよび導電膜７１４ｂは一方の電極として機能
し、導電膜７１６ａは他方の電極として機能する。
【００７１】
したがって、容量素子７４２は、トランジスタ７４１と共通する膜を用いて作製すること
ができる。また、導電膜７０４ａおよび導電膜７０４ｂを同種の導電膜とすると好ましい
。その場合、導電膜７０４ａおよび導電膜７０４ｂは、同一工程を経て形成することがで
きる。また、導電膜７１４ａおよび導電膜７１４ｂを同種の導電膜とすると好ましい。そ
の場合、導電膜７１４ａおよび導電膜７１４ｂは、同一工程を経て形成することができる
。
【００７２】
図２（Ｃ）に示す容量素子７４２は、図１（Ａ）に示した容量素子と類似の構造を有する
。図１（Ａ）に示した容量素子と同様に、占有面積当たりの容量が大きい容量素子である
。したがって、図２（Ｃ）は表示品位の高いＥＬ表示装置である。なお、図２（Ｃ）に示
す容量素子７４２は、導電膜７１６ａおよび導電膜７１４ｂの重なる領域を薄くするため
、絶縁膜７１８ａおよび絶縁膜７１８ｂの一部が除去された構造を有するが、本発明の一
態様に係る容量素子はこれに限定されるものではない。例えば、導電膜７１６ａおよび導
電膜７１４ｂの重なる領域を薄くするため、絶縁膜７１８ｃの一部が除去された構造を有
しても構わない。
【００７３】
なお、容量素子７４２の構造は一例であり、図２（Ｃ）に示した構造と異なる構造であっ
ても構わない。例えば、図３（Ａ）は、容量素子７４２として、図１（Ｂ）に示した容量
素子と類似した構造を有するＥＬ表示装置である。具体的には、図３（Ａ）に示す容量素
子７４２は、導電膜７０４ｂおよび導電膜７１６ａの重なる領域で、絶縁膜７１２ｂの一
部が除去された構造を有する。なお、図３（Ａ）に示す容量素子７４２は、導電膜７０４
ｂおよび導電膜７１６ａの重なる領域を薄くするため、絶縁膜７１２ｂの一部が除去され
た構造を有するが、本発明の一態様に係る容量素子はこれに限定されるものではない。例
えば、導電膜７０４ｂおよび導電膜７１６ａの重なる領域を薄くするため、絶縁膜７１２
ａの一部が除去された構造を有しても構わない。
【００７４】
また、容量素子７４２の構造は一例であり、図２（Ｃ）および図３（Ａ）に示した構造と
異なる構造であっても構わない。例えば、図３（Ｂ）は、容量素子７４２として、図１（
Ｃ）に示した容量素子と類似した構造を有するＥＬ表示装置である。具体的には、図３（
Ｂ）に示す容量素子７４２は、導電膜７０４ｂおよび導電膜７１６ａの重なる領域で、絶
縁膜７１２ｂの一部が除去され、導電膜７１６ａおよび導電膜７１４ｂの重なる領域で、
絶縁膜７１８ａおよび絶縁膜７１８ｂの一部が除去された構造を有する。なお、図３（Ｂ
）に示す容量素子７４２は、導電膜７１６ａおよび導電膜７１４ｂの重なる領域を薄くす
るため、絶縁膜７１８ａおよび絶縁膜７１８ｂの一部が除去された構造を有するが、本発
明の一態様に係る容量素子はこれに限定されるものではない。例えば、導電膜７１６ａお
よび導電膜７１４ｂの重なる領域を薄くするため、絶縁膜７１８ｃの一部が除去された構
造を有しても構わない。また、図３（Ｂ）に示す容量素子７４２は、導電膜７０４ｂおよ
び導電膜７１６ａの重なる領域を薄くするため、絶縁膜７１２ｂの一部が除去された構造
を有するが、本発明の一態様に係る容量素子はこれに限定されるものではない。例えば、
導電膜７０４ｂおよび導電膜７１６ａの重なる領域を薄くするため、絶縁膜７１２ａの一
部が除去された構造を有しても構わない。
【００７５】
図２（Ｃ）、図３（Ａ）および図３（Ｂ）では、容量素子７４２の一部にトランジスタ７
４１のソース電極として機能する導電膜７１６ａを有する構造を示した。図４には、容量
素子７４２の一部に半導体膜７０７を有する構造を示す。
【００７６】
図４（Ａ）には、容量素子７４２として、基板上の導電膜７０４ｂと、導電膜７０４ｂ上
の絶縁膜７１２ａと、絶縁膜７１２ａ上の絶縁膜７１２ｂと、絶縁膜７１２ｂ上にあり導
電膜７０４ｂと重なる半導体膜７０７と、半導体膜７０７上の絶縁膜７１８ａと、絶縁膜
７１８ａ上の絶縁膜７１８ｂと、絶縁膜７１８ｂ上の絶縁膜７１８ｃと、絶縁膜７１８ｃ
上にあり半導体膜７０７と重なる導電膜７１４ｂと、を有し、半導体膜７０７および導電
膜７１４ｂの重なる領域で、絶縁膜７１８ａおよび絶縁膜７１８ｂの一部が除去されてい
る構造を示す。
【００７７】
半導体膜７０７としては、容量素子７４２の電極として機能する半導体膜を用いると好ま
しい。したがって、半導体膜７０７が縮退半導体であると好ましい。ただし、半導体膜７
０７のキャリア密度が低い場合でも、導電膜７０４ｂまたは／および導電膜７１４ｂから
の電界によって半導体膜７０７にキャリアを誘起させることができる。
【００７８】
なお、半導体膜７０６および半導体膜７０７を同種の半導体膜とすると好ましい。その場
合、半導体膜７０６および半導体膜７０７は、同一工程を経て形成することができる。
【００７９】
ところで、半導体膜７０６は、トランジスタ７４１の半導体膜として機能するため、キャ
リア密度の低い半導体膜を用いると好ましい。一方、半導体膜７０７は、容量素子７４２
の電極として機能するため、キャリア密度の高い半導体膜を用いると好ましい。したがっ
て、半導体膜７０６および半導体膜７０７を、同一工程を経て形成する場合、後の工程に
よってそれぞれのキャリア密度が適切になるよう作り分けると好ましい。
【００８０】
例えば、半導体膜７０６および半導体膜７０７として、キャリア密度の高い半導体膜を形
成し、後の工程で半導体膜７０６のキャリア密度を低減させてもよい。半導体膜７０６の
キャリア密度を低減させる方法としては、例えば、半導体膜７０６がｎ型半導体である場
合はアクセプターを注入すればよいし、半導体膜７０６がｐ型半導体である場合はドナー
を注入すればよい。または、半導体膜７０６のキャリア発生源を低減すればよい。例えば
、半導体膜７０６が酸化物半導体膜である場合、酸化物半導体膜中の酸素欠損が水素を捕
獲することで電子を生成することがある。したがって、酸化物半導体膜の場合、酸素を供
給することで酸素欠損を低減させるか、熱などを加えることで水素を低減させることでも
半導体膜７０６のキャリア密度を低減させることができる。
【００８１】
または、例えば、半導体膜７０６および半導体膜７０７として、キャリア密度の低い半導
体膜を形成し、後の工程で半導体膜７０７のキャリア密度を増大させてもよい。半導体膜
７０７のキャリア密度を増大させる方法としては、例えば、半導体膜７０７にドーパント
を注入すればよい。または、半導体膜７０７のキャリア発生源を形成すればよい。例えば
、半導体膜７０７が酸化物半導体膜である場合、酸化物半導体膜中の酸素欠損に水素を捕
獲させることで電子を生成させることができる。したがって、酸化物半導体膜の場合、還
元性の環境にて酸素を脱離させるか、水素を供給することでも半導体膜７０７のキャリア
密度を増大させることができる。
【００８２】
図４（Ａ）に示す容量素子７４２においては、例えば、絶縁膜７１８ｃとして、半導体膜
７０７中でキャリア発生源となる不純物を含む絶縁膜を用いることで、半導体膜７０７の
キャリア密度を増大させてもよい。具体的には、半導体膜７０７が酸化物半導体膜である
場合、絶縁膜７１８ｃとして水素を含む絶縁膜を用いることで、半導体膜７０７のキャリ
ア密度を増大させることができる。水素を含む絶縁膜としては、窒化シリコン膜、窒化酸
化シリコン膜などを用いると好ましい。したがって、絶縁膜７１８ｃと半導体膜７０７が
接する構造とすることで、容量素子７４２の容量を大きくすることと同時に、半導体膜７
０７のキャリア密度を増大させることができる。そのため、表示装置を作製するための工
程数が少なくなり、表示装置の生産性を高めることができる。
【００８３】
なお、図４（Ａ）に示す容量素子７４２は、半導体膜７０７および導電膜７１４ｂの重な
る領域を薄くするため、絶縁膜７１８ａおよび絶縁膜７１８ｂの一部が除去された構造を
有するが、本発明の一態様に係る容量素子はこれに限定されるものではない。例えば、半
導体膜７０７および導電膜７１４ｂの重なる領域を薄くするため、絶縁膜７１８ｃの一部
が除去された構造を有しても構わない。
【００８４】
なお、半導体膜７０７を用いた容量素子７４２として、図４（Ａ）に示した容量素子７４
２と異なる例を示す。図４（Ｂ）に示す容量素子７４２は、導電膜７０４ｂおよび半導体
膜７０７の重なる領域で、絶縁膜７１２ｂの一部が除去された構造を有する。なお、図４
（Ｂ）に示す容量素子７４２は、導電膜７０４ｂおよび半導体膜７０７の重なる領域を薄
くするため、絶縁膜７１２ｂの一部が除去された構造を有するが、本発明の一態様に係る
容量素子はこれに限定されるものではない。例えば、導電膜７０４ｂおよび半導体膜７０
７の重なる領域を薄くするため、絶縁膜７１２ａの一部が除去された構造を有しても構わ
ない。
【００８５】
図２（Ｃ）、図３（Ａ）、図３（Ｂ）、図４（Ａ）および図４（Ｂ）において、ＦＰＣ７
３２は、端子７３１を介して配線７３３ａと接続される。なお、配線７３３ａは、トラン
ジスタ７４１を構成する導電膜または半導体膜のいずれかと同種の導電膜または半導体膜
を用いても構わない。
【００８６】
トランジスタ７４１および容量素子７４２上には、絶縁膜７２０が配置される。ここで、
絶縁膜７２０は、トランジスタ７４１のソース電極として機能する導電膜７１６ａに達す
る開口部を有してもよい。絶縁膜７２０上には、導電膜７８１が配置される。導電膜７８
１は、絶縁膜７２０の開口部を介してトランジスタ７４１と電気的に接続してもよい。
【００８７】
導電膜７８１上には、導電膜７８１に達する開口部を有する隔壁７８４が配置される。隔
壁７８４上には、隔壁７８４の開口部で導電膜７８１と接する発光層７８２が配置される
。発光層７８２上には、導電膜７８３が配置される。導電膜７８１、発光層７８２および
導電膜７８３の重なる領域が、発光素子７１９となる。
【００８８】
ここまでは、ＥＬ表示装置の例について説明した。次に、液晶表示装置の例について説明
する。
【００８９】
図５（Ａ）は、液晶表示装置の画素の構成例を示す回路図である。図５に示す画素は、ト
ランジスタ７５１と、容量素子７５２と、一対の電極間に液晶の充填された素子（液晶素
子）７５３とを有する。
【００９０】
トランジスタ７５１では、ソース、ドレインの一方が信号線７５５に電気的に接続され、
ゲートが走査線７５４に電気的に接続されている。
【００９１】
容量素子７５２では、一方の電極がトランジスタ７５１のソース、ドレインの他方に電気
的に接続され、他方の電極が共通電位を供給する配線に電気的に接続されている。
【００９２】
液晶素子７５３では、一方の電極がトランジスタ７５１のソース、ドレインの他方に電気
的に接続され、他方の電極が共通電位を供給する配線に電気的に接続されている。なお、
上述した容量素子７５２の他方の電極が電気的に接続する配線に与えられる共通電位と、
液晶素子７５３の他方の電極に与えられる共通電位とが異なる電位であってもよい。
【００９３】
なお、液晶表示装置も、上面図はＥＬ表示装置と同様として説明する。図２（Ｂ）の一点
鎖線Ｍ−Ｎに対応する液晶表示装置の断面図を図５（Ｂ）に示す。図５（Ｂ）において、
ＦＰＣ７３２は、端子７３１を介して配線７３３ａと接続される。なお、配線７３３ａは
、トランジスタ７５１を構成する導電膜または半導体膜のいずれかと同種の導電膜または
半導体膜を用いてもよい。
【００９４】
トランジスタ７５１は、トランジスタ７４１についての記載を参照する。また、容量素子
７５２は、容量素子７４２についての記載を参照する。なお、図５（Ｂ）には、図２（Ｃ
）の容量素子７４２に対応した容量素子７５２の構造を示したが、これに限定されない。
例えば、容量素子７５２を、図３（Ａ）、図３（Ｂ）、図４（Ａ）または図４（Ｂ）に表
記の容量素子７４２に対応した構造としても構わない。
【００９５】
なお、トランジスタ７５１の半導体膜に酸化物半導体膜を用いた場合、極めてオフ電流の
小さいトランジスタとすることができる。したがって、容量素子７５２に保持された電荷
がリークしにくく、長期間に渡って液晶素子７５３に印加される電圧を維持することがで
きる。そのため、動きの少ない動画や静止画の表示の際に、トランジスタ７５１をオフ状
態とすることで、トランジスタ７５１の動作のための電力が不要となり、消費電力の小さ
い液晶表示装置とすることができる。また、容量素子７５２の占有面積を小さくできるた
め、開口率の高い液晶表示装置、または高精細化した液晶表示装置を提供することができ
る。
【００９６】
トランジスタ７５１および容量素子７５２上には、絶縁膜７２１が配置される。ここで、
絶縁膜７２１は、トランジスタ７５１に達する開口部を有する。絶縁膜７２１上には、導
電膜７９１が配置される。導電膜７９１は、絶縁膜７２１の開口部を介してトランジスタ
７５１と電気的に接続する。
【００９７】
導電膜７９１上には、配向膜として機能する絶縁膜７９２が配置される。絶縁膜７９２上
には、液晶層７９３が配置される。液晶層７９３上には、配向膜として機能する絶縁膜７
９４が配置される。絶縁膜７９４上には、スペーサ７９５が配置される。スペーサ７９５
および絶縁膜７９４上には、導電膜７９６が配置される。導電膜７９６上には、基板７９
７が配置される。
【００９８】
上述した構造を有することで、占有面積の小さい容量素子を有する表示装置を提供するこ
とができる、または、表示品位の高い表示装置を提供することができる。または、高精細
の表示装置を提供することができる。
【００９９】
＜高精細の表示装置について＞
以下では、高精細のＥＬ表示装置を構成する画素の一例を示す。
【０１００】
図６に、ＥＬ表示装置の画素を示す。図６に示すＥＬ表示装置は、トランジスタ９７１と
、トランジスタ９７２と、トランジスタ９７３と、トランジスタ９７４と、トランジスタ
９７５と、容量素子９７６と、発光素子９１９と、信号線ＳＬと、電源線ＰＬ１と、電源
線ＰＬ２と、走査線ＧＬ１と、走査線ＧＬ２と、走査線ＧＬ３と、を有する。
【０１０１】
発光素子９１９の画素電極は、画素に入力される画像信号にしたがって電位が制御される
。または、発光素子９１９の輝度は、画素電極および共通電極間の電位差によって決定す
る。ここでは、発光素子９１９の陽極が画素電極として機能し、陰極が共通電極として機
能する。
【０１０２】
図６（Ａ）に、画素の回路図を示し、各素子と配線の接続関係について以下で説明する。
【０１０３】
トランジスタ９７１は、信号線ＳＬと、容量素子９７６の一方の電極との間の導通状態を
制御する機能を有する。容量素子９７６の他方の電極は、トランジスタ９７２のソース、
ドレインの一方と電気的に接続する。トランジスタ９７３は、電源線ＰＬ２と、トランジ
スタ９７２のゲートとの間の導通状態を制御する機能を有する。トランジスタ９７４は、
容量素子９７６の一方の電極と、トランジスタ９７２のゲートとの間の導通状態を制御す
る機能を有する。トランジスタ９７５は、トランジスタ９７２のソース、ドレインの一方
と、発光素子９１９の陽極との間の導通状態を制御する機能を有する。トランジスタ９７
２は、電源線ＰＬ１と、容量素子９７６の他方の電極との導通状態を制御する機能を有す
る。
【０１０４】
また、トランジスタ９７１の導通状態は、トランジスタ９７１のゲートと電気的に接続す
る走査線ＧＬ１の電位によって制御される。トランジスタ９７３の導通状態は、トランジ
スタ９７３のゲートと電気的に接続する走査線ＧＬ１の電位によって制御される。トラン
ジスタ９７４の導通状態は、トランジスタ９７４のゲートと電気的に接続する走査線ＧＬ
２の電位によって制御される。トランジスタ９７５の導通状態は、トランジスタ９７５の
ゲートと電気的に接続する走査線ＧＬ３の電位によって制御される。
【０１０５】
トランジスタ９７１、トランジスタ９７２、トランジスタ９７３、トランジスタ９７４お
よびトランジスタ９７５には、酸化物半導体またはシリコンを用いると好ましい。トラン
ジスタ９７１、トランジスタ９７３およびトランジスタ９７４に酸化物半導体を用いると
、トランジスタ９７１、トランジスタ９７３およびトランジスタ９７４のオフ電流を極め
て小さくすることができるため、特に好ましい。そして、上記構成を有するトランジスタ
９７１、トランジスタ９７３およびトランジスタ９７４を画素に用いることで、シリコン
やゲルマニウムなどの半導体で形成されたトランジスタを用いる場合に比べて、トランジ
スタ９７２のゲートに蓄積された電荷のリークを防ぐことができる。
【０１０６】
よって、静止画のように、連続する幾つかのフレーム期間に渡って、画素部に同じ画像情
報を有する画像信号が書き込まれる場合などは、駆動周波数を低くすることができる。言
い換えると一定期間内における画素部への画像信号の書き込み回数を少なくしても、画像
の表示を維持することができる。例えば、高純度化された酸化物半導体をトランジスタ９
７１、トランジスタ９７３およびトランジスタ９７４に用いることで、画像信号の書き込
みの間隔を１０秒以上、３０秒以上、または１分以上にすることができる。画像信号が書
き込まれる間隔を長くすればするほど、消費電力をより低減することができる。
【０１０７】
また、画像信号の電位をより長い期間に渡って保持することができる。したがって、トラ
ンジスタ９７２のゲートの電位を保持するための容量素子９７６の容量を小さくしても、
表示される画質が低下するのを防ぐことができる。即ち、容量素子９７６の占有面積を縮
小することが可能となるため、画素の開口率を高めることができる。そのため、発光素子
９１９の長寿命化を実現し、ＥＬ表示装置の信頼性を高めることができる。
【０１０８】
なお、図６（Ａ）において、画素は、必要に応じて、トランジスタ、ダイオード、抵抗素
子、容量素子、インダクタなどのその他の素子を、さらに有していてもよい。
【０１０９】
また、図６（Ａ）において、トランジスタ９７１、トランジスタ９７２、トランジスタ９
７３およびトランジスタ９７５は、第２のゲート（バックゲートともいう。）を有する。
トランジスタ９７１、トランジスタ９７２、トランジスタ９７３およびトランジスタ９７
５において、第２のゲートはゲートと電気的に接続されている。したがって、第２のゲー
トから印加される電界の分だけ、ドレイン電流を増加させることができる。また、第２の
ゲートを有することで、トランジスタのドレイン電流を飽和させるためのドレイン電圧が
小さくできる。即ち、ドレイン電流を一定にすることが容易となるため、発光素子９１９
に電流を安定して流すことができる。そのため、発光素子９１９における諧調の制御が容
易となり、表示品位の高い表示装置を実現することができる。
【０１１０】
また、図６（Ａ）において、トランジスタ９７４は、第２のゲートを有さない。これは、
トランジスタ９７４のゲートに係る寄生容量を小さくすることによって、画素内における
しきい値電圧補正の能力を向上させることができるためである。
【０１１１】
図６（Ａ）では、トランジスタ９７１、トランジスタ９７２、トランジスタ９７３および
トランジスタ９７５は第２のゲートを有し、トランジスタ９７４は第２のゲートを有さな
い場合について例示しているが、これに限定されるものではない。第２のゲートの有無は
、トランジスタの構造などによって適宜変更することができる。
【０１１２】
なお、図６（Ａ）では、トランジスタが全てｎチャネル型である場合を例示している。画
素内のトランジスタが全て同じチャネル型である場合、画素内に異なるチャネル型のトラ
ンジスタを有する場合と比べてトランジスタの作製工程を簡略化することができる。ただ
し、本発明の一態様に係るＥＬ表示装置は、画素内のトランジスタの全てがｎチャネル型
である場合に限定されない。
【０１１３】
次に、図６（Ａ）に示す画素の動作について、図７および図８を用いて説明する。
【０１１４】
図７（Ａ）は、走査線ＧＬ１乃至走査線ＧＬ３の電位、信号線ＳＬの電位を示すタイミン
グチャートである。図７（Ｂ）には、図７（Ａ）における初期化動作を行う期間Ｔ１に対
応した、走査線ＧＬ１乃至走査線ＧＬ３の電位、およびトランジスタ９７１乃至トランジ
スタ９７５の導通状態を示す。なお、走査線ＧＬ１乃至走査線ＧＬ３の電位がローレベル
である場合Ｌを、ハイレベルである場合Ｈを表記する。
【０１１５】
期間Ｔ１では、走査線ＧＬ１にローレベルの電位が与えられ、走査線ＧＬ２にローレベル
の電位が与えられ、走査線ＧＬ３にハイレベルの電位が与えられる。したがって、トラン
ジスタ９７５が導通状態となり、トランジスタ９７１、トランジスタ９７３およびトラン
ジスタ９７４が非導通状態となる。なお、期間Ｔ１では、一つ前の発光動作の影響により
トランジスタ９７２が導通状態から始まる。
【０１１６】
また、電源線ＰＬ１には、電位Ｖａｎｏが与えられ、発光素子９１９の陰極には電位Ｖｃ
ａｔが与えられる。また、電源線ＰＬ２には、電位Ｖ０が与えられ、信号線ＳＬには画像
信号の電位Ｖｄａｔａが与えられる。なお、電位Ｖ０は、トランジスタ９７２のしきい値
電圧Ｖｔｈおよび発光素子９１９のしきい値電圧Ｖｔｈｅに電位Ｖｃａｔを加えた電位よ
りも高く、トランジスタ９７２のしきい値電圧Ｖｔｈに電位Ｖａｎｏを加えた電位よりも
低いことが好ましい。
【０１１７】
期間Ｔ１では、トランジスタ９７２、トランジスタ９７５および容量素子９７６の間のノ
ードＡにおける電位を、発光素子９１９のしきい値電圧Ｖｔｈｅの近傍の電位に初期化す
ることができる。
【０１１８】
図８（Ａ）に、図７（Ａ）における信号線ＳＬの電位Ｖｄａｔａおよびトランジスタ９７
２のしきい値電圧Ｖｔｈを取得する期間Ｔ２に対応した、走査線ＧＬ１乃至走査線ＧＬ３
の電位、およびトランジスタ９７１乃至トランジスタ９７５の導通状態を示す。
【０１１９】
期間Ｔ２では、走査線ＧＬ１にハイレベルの電位が与えられ、走査線ＧＬ２にローレベル
の電位が与えられ、走査線ＧＬ３にローレベルの電位が与えられる。期間Ｔ２では、トラ
ンジスタ９７２のゲートに電位Ｖ０が与えられる。したがって、トランジスタ９７２を介
して容量素子９７６の電荷が放出され、電位ＶｃａｔだったノードＡの電位が上昇し始め
る。最終的には、ノードＡの電位がＶ０−Ｖｔｈとなると、トランジスタ９７２のゲート
電圧がしきい値電圧Ｖｔｈまで小さくなり、トランジスタ９７２が非導通状態となる。ま
た、容量素子９７６の一方の電極（ノードＢとして表記する。）には、電位Ｖｄａｔａが
与えられる。
【０１２０】
図８（Ｂ）に、図７（Ａ）における発光を示す期間Ｔ３に対応した、走査線ＧＬ１乃至走
査線ＧＬ３の電位、およびトランジスタ９７１乃至トランジスタ９７５の導通状態を示す
。
【０１２１】
期間Ｔ３では、走査線ＧＬ１にローレベルの電位が与えられ、走査線ＧＬ２にハイレベル
の電位が与えられ、走査線ＧＬ３にハイレベルの電位が与えられる。期間Ｔ３では、トラ
ンジスタ９７４およびトランジスタ９７５が導通状態となる。また、トランジスタ９７１
およびトランジスタ９７３が非導通状態となる。なお、期間Ｔ２から期間Ｔ３に移行する
際、走査線ＧＬ１に与える電位をハイレベルからローレベルに切り替えてから、走査線Ｇ
Ｌ２および走査線ＧＬ３に与える電位をローレベルからハイレベルに切り替えることが好
ましい。こうすることで、走査線ＧＬ１に与える電位の切り替えに伴う、ノードＡにおけ
る電位の変動を抑制することができる。
【０１２２】
期間Ｔ３では、上記動作により、トランジスタ９７２のゲートに電位Ｖｄａｔａが与えら
れるため、トランジスタ９７２のゲート電圧ＶｇｓがＶｄａｔａ−Ｖ０＋Ｖｔｈとなる。
したがって、トランジスタ９７２のゲート電圧Ｖｇｓを、しきい値電圧Ｖｔｈが加えられ
た値とすることができる。
【０１２３】
具体的には、発光素子９１９に供給される電流値をＩＯＬＥＤとすると、ＩＯＬＥＤ＝０
．５β（Ｖｇｓ−Ｖｔｈ）２と表される。ここで、βは、トランジスタに固有のパラメー
タであり、具体的にはβ＝（Ｗ／Ｌ）・μＦＥ・Ｃｏｘで表される。なお、Ｗはトランジ
スタのチャネル幅を示し、Ｌはトランジスタのチャネル長を示し、μＦＥはトランジスタ
の電界効果移動度を示し、Ｃｏｘはトランジスタのゲート容量を示す。ここで、ゲート電
圧Ｖｇｓ＝Ｖｄａｔａ−Ｖ０＋Ｖｔｈを代入すると、ＩＯＬＥＤ＝０．５β（Ｖｄａｔａ
−Ｖ０）２と表される。
【０１２４】
即ち、図６（Ａ）に示すＥＬ表示装置の画素は、トランジスタ９７２のしきい値電圧Ｖｔ
ｈのばらつきが、発光素子９１９に供給される電流値ＩＯＬＥＤに及ぼす影響を低減する
ことができる回路構成を有することがわかる。また、トランジスタ９７２が劣化すること
でしきい値電圧Ｖｔｈが変動した場合でも、発光素子９１９に供給される電流値ＩＯＬＥ
Ｄに及ぼす影響を低減することができる。そのため、表示ムラの小さい表示装置を提供す
ることができる。
【０１２５】
次に、図６（Ａ）に示したしきい値電圧補正機能を有するＥＬ表示装置の構造の一例につ
いて、図６（Ｂ）および図６（Ｃ）を用いて説明する。ただし、図６（Ｂ）および図６（
Ｃ）では、理解を容易にするため、発光素子９１９など一部の構成を省略して示す。
【０１２６】
図６（Ｂ）は、図６（Ａ）に示したＥＬ表示装置の画素に対応する上面図である。ＥＬ表
示装置の画素一つの大きさはｘμｍ×ｙμｍとして表される。デザインルールにもよるが
、例えば、ＥＬ表示装置の画素一つの大きさは３８．２５μｍ×１２．７５μｍ（６６４
ｐｐｉ相当）とすることができる。
【０１２７】
このように、高精細なＥＬ表示装置の画素において、容量素子９７６の占有面積が十分取
れないことが問題となる場合がある。図６（Ａ）に示す回路構成であれば、容量素子９７
６は、トランジスタ９７２のゲートに係る寄生容量の好ましくは２倍、さらに好ましくは
５倍、より好ましくは１０倍の容量とすればよい。
【０１２８】
図６（Ｃ）は、図６（Ｂ）の一点鎖線Ｆ１−Ｆ２、一点鎖線Ｆ３−Ｆ４に対応する断面図
である。
【０１２９】
図６（Ｃ）に示す画素は、基板９００上の導電膜９０４ａおよび導電膜９０４ｂと、導電
膜９０４ａおよび導電膜９０４ｂ上の絶縁膜９１２ａと、絶縁膜９１２ａ上の絶縁膜９１
２ｂと、絶縁膜９１２ｂ上にあり導電膜９０４ａと重なる半導体膜９０６と、半導体膜９
０６と接する導電膜９１６ａおよび導電膜９１６ｂと、半導体膜９０６上、導電膜９１６
ａ上および導電膜９１６ｂ上の絶縁膜９１８ａと、絶縁膜９１８ａ上の絶縁膜９１８ｂと
、絶縁膜９１８ｂ上の絶縁膜９１８ｃと、絶縁膜９１８ｃ上にあり半導体膜９０６と重な
る導電膜９１４ａと、絶縁膜９１８ｃ上にあり導電膜９１６ｂと重なる導電膜９１４ｂと
、絶縁膜９１８ｃ上、導電膜９１４ａ上および導電膜９１４ｂ上の絶縁膜９０８と、絶縁
膜９０８上の導電膜９２６ａ、導電膜９２６ｂおよび導電膜９２６ｃと、を有する。
【０１３０】
なお、導電膜９２６ｂは、絶縁膜９１８ａ、絶縁膜９１８ｂ、絶縁膜９１８ｃおよび絶縁
膜９０８の開口部を介して、導電膜９１６ｂと電気的に接続する。また、導電膜９１４ａ
は、絶縁膜９１２ａ、絶縁膜９１２ｂ、絶縁膜９１８ａ、絶縁膜９１８ｂおよび絶縁膜９
１８ｃの開口部を介して導電膜９０４ａと電気的に接続する。また、絶縁膜９１８ａおよ
び絶縁膜９１８ｂは、導電膜９１６ａ上の一部に開口部を有し、該開口部において導電膜
９１６ａと絶縁膜９１８ｃとが接する。
【０１３１】
トランジスタ９７５において、導電膜９０４ａはゲート電極として機能し、絶縁膜９１２
ａおよび絶縁膜９１２ｂはゲート絶縁膜として機能し、導電膜９１６ａはソース電極とし
て機能し、導電膜９１６ｂはドレイン電極として機能し、絶縁膜９１８ａ、絶縁膜９１８
ｂおよび絶縁膜９１８ｃはゲート絶縁膜として機能し、導電膜９１４ａはゲート電極とし
て機能する。
【０１３２】
また、容量素子９７６において、導電膜９０４ｂおよび導電膜９１４ｂは一方の電極とし
て機能し、導電膜９１６ａは他方の電極として機能する。
【０１３３】
なお、トランジスタ９７５は、トランジスタ７４１と類似の構造を有する。したがって、
トランジスタ９７５については、トランジスタ７４１についての記載を参酌する。同様に
、トランジスタ９７１、トランジスタ９７２、トランジスタ９７３およびトランジスタ９
７４についても、トランジスタ７４１についての記載を参酌する。また、容量素子９７６
は、容量素子７４２と類似の構造を有する。したがって、容量素子９７６については、容
量素子７４２についての記載を参酌する。
【０１３４】
図６（Ｂ）および図６（Ｃ）に示す画素は、容量素子９７６の占有面積を小さくできるた
め、高精細なＥＬ表示装置に適した構造といえる。
【０１３５】
次に、図６（Ｂ）および図６（Ｃ）に示す画素の層構造の作製方法について、図９乃至図
１６を用いて説明する。なお、上面図を図９（Ａ）、図１０（Ａ）、図１１（Ａ）、図１
２（Ａ）、図１３（Ａ）、図１４（Ａ）、図１５（Ａ）および図１６（Ａ）に示し、それ
ぞれに対応する断面図を図９（Ｂ）、図１０（Ｂ）、図１１（Ｂ）、図１２（Ｂ）、図１
３（Ｂ）、図１４（Ｂ）、図１５（Ｂ）および図１６（Ｂ）に示す。
【０１３６】
まず、基板９００上に導電膜９０４ａ、導電膜９０４ｂ、導電膜９０４ｃ、導電膜９０４
ｄ、導電膜９０４ｅおよび導電膜９０４ｆを形成する（図９（Ａ）および図９（Ｂ）参照
。）。なお、導電膜９０４ａは、走査線ＧＬ３、およびトランジスタ９７５のゲート電極
として機能する。また、導電膜９０４ｂは、容量素子９７６の一方の電極として機能する
。また、導電膜９０４ｃは、電源線ＰＬ２として機能する。また、導電膜９０４ｄは、走
査線ＧＬ１、ならびにトランジスタ９７１およびトランジスタ９７３のゲート電極として
機能する。導電膜９０４ｅは、走査線ＧＬ２、およびトランジスタ９７４のゲート電極と
して機能する。導電膜９０４ｆは、トランジスタ９７２のゲート電極として機能する。
【０１３７】
次に、絶縁膜９１２ａを形成する。次に、絶縁膜９１２ａ上に絶縁膜９１２ｂを形成する
。なお、絶縁膜９１２ａおよび絶縁膜９１２ｂは、トランジスタ９７１、トランジスタ９
７２、トランジスタ９７３、トランジスタ９７４およびトランジスタ９７５のゲート絶縁
膜として機能する。
【０１３８】
次に、半導体膜９０６、ならびに半導体膜９０６と同じ層の半導体膜９０６ａ、半導体膜
９０６ｂ、半導体膜９０６ｃおよび半導体膜９０６ｄを形成する（図１０（Ａ）および図
１０（Ｂ）参照。）。なお、半導体膜９０６は、トランジスタ９７５の半導体膜として機
能する。また、半導体膜９０６ａは、トランジスタ９７１の半導体膜として機能する。ま
た、半導体膜９０６ｂは、トランジスタ９７４の半導体膜として機能する。また、半導体
膜９０６ｃは、トランジスタ９７３の半導体膜として機能する。また、半導体膜９０６ｄ
は、トランジスタ９７２の半導体膜として機能する。
【０１３９】
次に、絶縁膜９１２ａおよび絶縁膜９１２ｂに、導電膜９０４ｂに達する開口部９２８ａ
、導電膜９０４ｃに達する開口部９２８ｂ、および導電膜９０４ｆに達する開口部９２８
ｃを形成する（図１１（Ａ）および図１１（Ｂ）参照。）。
【０１４０】
次に、導電膜９１６ａおよび導電膜９１６ｂ、導電膜９１６ｃ、導電膜９１６ｄ、導電膜
９１６ｅ、導電膜９１６ｆおよび導電膜９１６ｇを形成する。導電膜９１６ｄは、開口部
９２８ａを介して導電膜９０４ｂと電気的に接続する。また、導電膜９１６ｆは、開口部
９２８ｂを介して導電膜９０４ｃ電気的に接続する。また、導電膜９１６ｇは、開口部９
２８ｃを介して導電膜９０４ｆと電気的に接続する（図１１（Ａ）および図１１（Ｂ）参
照。）。なお、導電膜９１６ａは、トランジスタ９７２のソース電極、トランジスタ９７
５のドレイン電極、および容量素子９７６の他方の電極として機能する。また、導電膜９
１６ｂは、トランジスタ９７５のソース電極として機能する。また、導電膜９１６ｃは、
トランジスタ９７１のソース電極またはドレイン電極として機能する。また、導電膜９１
６ｄは、トランジスタ９７１のソース電極またはドレイン電極、およびトランジスタ９７
４のソース電極またはドレイン電極として機能する。また、導電膜９１６ｅは、トランジ
スタ９７２のドレイン電極として機能する。また、導電膜９１６ｆは、トランジスタ９７
３のソース電極またはドレイン電極として機能する。また、導電膜９１６ｇは、トランジ
スタ９７３のソース電極またはドレイン電極、およびトランジスタ９７４のソース電極ま
たはドレイン電極として機能する。
【０１４１】
次に、絶縁膜９１８ａを形成する。次に、絶縁膜９１８ｂを形成する。次に、絶縁膜９１
８ａおよび絶縁膜９１８ｂに、導電膜９１６ａに達する開口部９３８を形成する。次に、
絶縁膜９１８ｃを形成する（図１２（Ａ）および図１２（Ｂ）参照。）。なお、絶縁膜９
１８ａ、絶縁膜９１８ｂおよび絶縁膜９１８ｃは、トランジスタ９７１、トランジスタ９
７２、トランジスタ９７３、トランジスタ９７４およびトランジスタ９７５のゲート絶縁
膜として機能する。
【０１４２】
次に、絶縁膜９１８ａ、絶縁膜９１８ｂおよび絶縁膜９１８ｃに、導電膜９１６ｂに達す
る開口部９３８ｂ、導電膜９１６ｄに達する開口部９３８ｃ、導電膜９１６ｃに達する開
口部９３８ｄ、導電膜９１６ｇに達する開口部９３８ｆ、および導電膜９１６ｅに達する
開口部９３８ｇを形成する。また、絶縁膜９１２ａ、絶縁膜９１２ｂ、絶縁膜９１８ａ、
絶縁膜９１８ｂおよび絶縁膜９１８ｃに、導電膜９０４ａに達する開口部９３８ａを形成
する（図１３（Ａ）および図１３（Ｂ）参照。）。
【０１４３】
次に、導電膜９１４ａおよび導電膜９１４ｂ、導電膜９１４ｃおよび導電膜９１４ｄを形
成する。導電膜９１４ａは、開口部９３８ａを介して導電膜９０４ａと電気的に接続する
。また、導電膜９１４ｂは、開口部９３８ｃを介して導電膜９１６ｄと電気的に接続する
。ここで、前述のとおり、導電膜９１６ｄは導電膜９０４ｂと電気的に接続する。即ち、
導電膜９１４ｂは導電膜９０４ｂと電気的に接続する。また、導電膜９１４ｃは、開口部
９３８ｅを介して導電膜９０４ｄと電気的に接続する。また、導電膜９１４ｄは、開口部
９３８ｆを介して導電膜９１６ｇと電気的に接続する。ここで、前述のとおり、導電膜９
１６ｇは導電膜９０４ｆと電気的に接続する。即ち、導電膜９１４ｄは導電膜９０４ｆと
電気的に接続する。なお、導電膜９１４ａは、トランジスタ９７５のゲート電極として機
能する。また、導電膜９１４ｂは、容量素子９７６の一方の電極として機能する。また、
導電膜９１４ｃは、トランジスタ９７１およびトランジスタ９７３のゲート電極として機
能する。また、導電膜９１４ｄは、トランジスタ９７２のゲート電極として機能する。
【０１４４】
次に、絶縁膜９０８を形成する。次に、絶縁膜９０８に、開口部９３８ｂと重なる開口部
９４８ａ、開口部９３８ｇと重なる開口部９４８ｂおよび開口部９３８ｄと重なる開口部
９４８ｃを形成する（図１４（Ａ）および図１４（Ｂ）参照。）。
【０１４５】
次に、導電膜９２６ａ、導電膜９２６ｂおよび導電膜９２６ｃを形成する。導電膜９２６
ａは、開口部９４８ｃを介して導電膜９１６ｃと電気的に接続する。また、導電膜９２６
ｂは、開口部９４８ａを介して導電膜９１６ｂと電気的に接続する。また、導電膜９２６
ｃは、開口部９４８ｂを介して導電膜９１６ｅと電気的に接続する。なお、導電膜９２６
ａは信号線として機能する。また、導電膜９２６ｃは電源線ＰＬ１として機能する。
【０１４６】
図１４（Ａ）および図１４（Ｂ）までは、図６（Ｂ）および図６（Ｃ）に相当する。その
後の、ＥＬ表示装置の作製方法について、図１５および図１６に示す。
【０１４７】
絶縁膜９０８上、導電膜９２６ａ上、導電膜９２６ｂ上および導電膜９２６ｃ上に、絶縁
膜９２８を形成する。次に、絶縁膜９２８に、導電膜９２６ｂに達する開口部９５８を形
成する（図１５（Ａ）および図１５（Ｂ）参照。）。
【０１４８】
次に、導電膜９３４を形成する。導電膜９３４は、開口部９５８を介して導電膜９２６ｂ
と電気的に接続する（図１５（Ａ）および図１５（Ｂ）参照。）。なお、導電膜９３４は
、発光素子９１９の一方の電極として機能する。
【０１４９】
次に、可視光を透過または半透過させる機能を有する透明膜９３２を形成する（図１６（
Ａ）および図１６（Ｂ）参照。）。透明膜９３２を形成することで、光の共振効果を利用
した微小光共振器（マイクロキャビティー）構造を形成でき、発光素子９１９から取り出
される発光スペクトルのピークを急峻かつ高強度にすることができる。したがって、透明
膜９３２を有することによって、ＥＬ表示装置の輝度および色純度を高めることができる
。なお、透明膜９３２の厚さ（層数）や種類は、画素の発光色ごとに変更することが好ま
しい。ただし、透明膜９３２を形成しなくても構わない。
【０１５０】
次に、絶縁膜９３６を形成する。絶縁膜９３６は、画素の発光領域となる開口部９６８を
有する（図１６（Ａ）および図１６（Ｂ）参照。）。絶縁膜９３６は隔壁として機能する
。
【０１５１】
次に、スペーサ９４０を形成する（図１６（Ａ）および図１６（Ｂ）参照。）。
【０１５２】
その後、発光層、発光素子９１９の他方の電極として機能する導電膜などを形成すること
で、ＥＬ表示装置を作製することができる。該ＥＬ表示装置は、高精細かつ表示品位の高
いＥＬ表示装置である。
【０１５３】
以下では、図７（Ａ）に示す画素の期間Ｔ３における、トランジスタ９７２のゲート電圧
Ｖｇｓの値を計算により求めた。なお、計算には、ＳＩＬＶＡＣＯ社製アナログ回路シミ
ュレータＳｍａｒｔＳｐｉｃｅ、および高精度３次元寄生素子抽出ツールＣｌｅｖｅｒを
用いた。
【０１５４】
まず、画素における寄生容量を、Ｃｌｅｖｅｒを用いて抽出した。寄生容量の抽出に用い
た各膜の厚さを下記の表１に示す。
【０１５５】
【表１】
2020184086.tif 000003
【０１５６】
なお、寄生容量の抽出は、反復計算の誤差が５％以内になるまで計算を行った。また、３
Ｄ構造は、ＧＥＯＭＥＴＲＩＣＡＬ  ＭＯＤＥのＭＡＮＨＡＴＴＡＮ−ＴＹＰＥとした。
また、回路規模は、縦３画素×横３画素のマトリックスとした。
【０１５７】
図７（Ａ）に示す画素の期間Ｔ３における、トランジスタ９７２のゲート電圧Ｖｇｓの値
の計算は、信号線ＳＬの電位Ｖｄａｔａと電源線ＰＬ２における電位Ｖ０の差Ｖｄａｔａ
−Ｖ０を、−１Ｖ（条件１）、−０．５Ｖ（条件２）、０Ｖ（条件３）、０．５Ｖ（条件
４）、１Ｖ（条件５）、１．５Ｖ（条件６）とした。条件１乃至条件６における各配線の
電位の値は、電源線ＰＬ１の電位Ｖａｎｏを１０Ｖ、発光素子９１９の他方の電極の電位
Ｖｃａｔを−４Ｖ、電位ＧＶＤＤを１５Ｖ、電位ＧＶＳＳを−５Ｖとした。なお、電位Ｇ
ＶＤＤは、走査線ＧＬ１、走査線ＧＬ２および走査線ＧＬ３にそれぞれ与えられるハイレ
ベルの電位に相当する。また、電位ＧＶＳＳは、走査線ＧＬ１、走査線ＧＬ２および走査
線ＧＬ３にそれぞれ与えられるローレベルの電位に相当する。
【０１５８】
また、計算における各トランジスタのチャネル長Ｌとチャネル幅Ｗは、トランジスタ９７
１ではチャネル長Ｌが２μｍ、チャネル幅Ｗが１．５μｍ、トランジスタ９７２ではチャ
ネル長Ｌが６μｍ、チャネル幅Ｗが２μｍ、トランジスタ９７３ではチャネル長Ｌが２μ
ｍ、チャネル幅Ｗが１．５μｍ、トランジスタ９７４ではチャネル長Ｌが３μｍ、チャネ
ル幅Ｗが１．５μｍ、トランジスタ９７５ではチャネル長Ｌが２μｍ、チャネル幅Ｗが２
μｍとした。そして、図６に示した画素が有する全てのトランジスタにおいて、ソース電
極またはドレイン電極として機能する導電膜および半導体膜が接している領域と、ゲート
電極が形成されている領域と、が重なる領域におけるチャネル長方向の長さを０．７５μ
ｍとした。
【０１５９】
期間Ｔ３では、トランジスタ９７２のゲート電圧ＶｇｓはＶｄａｔａ−Ｖ０＋Ｖｔｈとな
る。よって、図６に示した画素において、Ｖｇｓ−Ｖｔｈ＝Ｖｄａｔａ−Ｖ０となるため
、Ｖｇｓ−Ｖｔｈは、理想的には、しきい値電圧Ｖｔｈの値に関わらず一定の値を有する
ことを説明した。
【０１６０】
図１７に、条件１乃至条件６における、計算により得られたＶｇｓ−Ｖｔｈとしきい値電
圧Ｖｔｈとの関係を示す。図１７では、横軸をしきい値電圧Ｖｔｈ（Ｖ）、縦軸をＶｇｓ
−Ｖｔｈ（Ｖ）とした。図１７より、しきい値電圧Ｖｔｈの値が変化した場合においても
、しきい値電圧補正を行わない場合（図１７破線参照。）と比べてＶｇｓ−Ｖｔｈのばら
つきは４５％程度に抑えられていることが分かる。
【０１６１】
上記計算の結果から、本発明の一態様に係るＥＬ表示装置では、トランジスタ９７２のし
きい値電圧Ｖｔｈにばらつき、または変動が生じても、その影響が低減されたトランジス
タ９７２のゲート電圧Ｖｇｓに補正できることがわかる。
【０１６２】
＜駆動回路について＞
図２２は、本発明の一態様に係る表示装置に適用可能な走査線駆動回路の一例である。ま
た、該走査線駆動回路の構成要素であるシフトレジスタ（Ｇ＿ＳＲとも表記する。）、配
線Ｇ２に接続するインバータ（Ｇ２＿ＩＮＶとも表記する。）の端子、および配線Ｇ３に
接続するインバータ（Ｇ３＿ＩＮＶとも表記する。）の端子の位置を、図２３（Ａ）、図
２３（Ｂ）および図２３（Ｃ）にそれぞれ模式的に示す。
【０１６３】
図２４および図２５は、図２３（Ａ）に示すシフトレジスタとして用いることのできる回
路の図である。また、当該回路は、図２６および図２７に示すように、一部のトランジス
タに第２のゲート電極を有する構成であってもよい。なお、図２６および図２７において
、第２のゲート電極は、第１のゲート電極と電気的に接続されている。そのようなトラン
ジスタは、第２のゲート電極を有さない同じ大きさのトランジスタと比べて高いオン電流
を有する。したがって、出力信号の電圧振幅を高くした場合でも、走査線駆動回路の占有
面積を小さくすることができる。また、図２８（Ａ）および図２８（Ｂ）は、それぞれ配
線Ｇ２に接続するインバータおよび配線Ｇ３に接続するインバータとして用いることので
きる回路の図である。なお、Ｇ＿ＶＤＤ、Ｇ＿ＶＣＣ１およびＧ＿ＶＣＣ２は、高電源電
位を示す。また、Ｇ＿ＶＳＳ、Ｇ＿ＶＥＥ１、Ｇ＿ＶＥＥ２およびＧ＿ＶＥＥ３は低電源
電位を示す。
【０１６４】
また、図２２に示す走査線駆動回路は、図２９に示す一例のタイミングチャートを適用し
、動作させることができる。
【０１６５】
＜酸化物半導体膜について＞
以下では、本発明の一態様に用いることのできる半導体膜のうち、酸化物半導体膜につい
て説明する。
【０１６６】
酸化物半導体膜は、インジウムを含む酸化物である。酸化物は、例えば、インジウムを含
むと、キャリア移動度（電子移動度）が高くなる。また、酸化物半導体膜は、元素Ｍを含
むと好ましい。元素Ｍとして、例えば、アルミニウム、ガリウム、イットリウムまたはス
ズなどがある。元素Ｍは、例えば、酸素との結合エネルギーが高い元素である。元素Ｍは
、例えば、酸化物のエネルギーギャップを大きくする機能を有する元素である。また、酸
化物半導体膜は、亜鉛を含むと好ましい。酸化物が亜鉛を含むと、例えば、酸化物を結晶
化しやすくなる。酸化物の価電子帯上端のエネルギーは、例えば、亜鉛の原子数比によっ
て制御できる。
【０１６７】
ただし、酸化物半導体膜は、インジウムを含む酸化物に限定されない。酸化物半導体膜は
、例えば、Ｚｎ−Ｓｎ酸化物、Ｇａ−Ｓｎ酸化物であっても構わない。
【０１６８】
また酸化物半導体膜は、エネルギーギャップが大きい酸化物を用いる。酸化物半導体膜の
エネルギーギャップは、例えば、２．５ｅＶ以上４．２ｅＶ以下、好ましくは２．８ｅＶ
以上３．８ｅＶ以下、さらに好ましくは３ｅＶ以上３．５ｅＶ以下とする。
【０１６９】
なお、酸化物半導体膜をスパッタリング法で成膜する場合、パーティクル数低減のため、
インジウムを含むターゲットを用いると好ましい。また、元素Ｍの原子数比が高い酸化物
ターゲットを用いた場合、ターゲットの導電性が低くなる場合がある。インジウムを含む
ターゲットを用いる場合、ターゲットの導電率を高めることができ、ＤＣ放電、ＡＣ放電
が容易となるため、大面積の基板へ対応しやすくなる。したがって、半導体装置の生産性
を高めることができる。
【０１７０】
酸化物半導体膜をスパッタリング法で成膜する場合、ターゲットの原子数比は、Ｉｎ：Ｍ
：Ｚｎが３：１：１、３：１：２、３：１：４、１：１：０．５、１：１：１、１：１：
２、などとすればよい。
【０１７１】
酸化物半導体膜をスパッタリング法で成膜する場合、ターゲットの原子数比からずれた原
子数比の膜が形成される場合がある。特に、亜鉛は、ターゲットの原子数比よりも膜の原
子数比が小さくなる場合がある。具体的には、ターゲットに含まれる亜鉛の原子数比の４
０ａｔｏｍｉｃ％以上９０ａｔｏｍｉｃ％程度以下となる場合がある。
【０１７２】
以下では、酸化物半導体膜中における不純物の影響について説明する。なお、トランジス
タの電気特性を安定にするためには、酸化物半導体膜中の不純物濃度を低減し、低キャリ
ア密度化および高純度化することが有効である。なお、酸化物半導体膜のキャリア密度は
、１×１０１７個／ｃｍ３未満、１×１０１５個／ｃｍ３未満、または１×１０１３個／
ｃｍ３未満とする。酸化物半導体膜中の不純物濃度を低減するためには、近接する膜中の
不純物濃度も低減することが好ましい。
【０１７３】
例えば、酸化物半導体膜中のシリコンは、キャリアトラップやキャリア発生源となる場合
がある。そのため、酸化物半導体膜と隣接する絶縁膜との間におけるシリコン濃度を、二
次イオン質量分析法（ＳＩＭＳ：Ｓｅｃｏｎｄａｒｙ  Ｉｏｎ  Ｍａｓｓ  Ｓｐｅｃｔｒ
ｏｍｅｔｒｙ）において、１×１０１９ａｔｏｍｓ／ｃｍ３未満、好ましくは５×１０１
８ａｔｏｍｓ／ｃｍ３未満、さらに好ましくは２×１０１８ａｔｏｍｓ／ｃｍ３未満とす
る。
【０１７４】
また、酸化物半導体膜中に水素が含まれると、キャリア密度を増大させてしまう場合があ
る。酸化物半導体膜の水素濃度はＳＩＭＳにおいて、２×１０２０ａｔｏｍｓ／ｃｍ３以
下、好ましくは５×１０１９ａｔｏｍｓ／ｃｍ３以下、より好ましくは１×１０１９ａｔ
ｏｍｓ／ｃｍ３以下、さらに好ましくは５×１０１８ａｔｏｍｓ／ｃｍ３以下とする。ま
た、酸化物半導体膜中に窒素が含まれると、キャリア密度を増大させてしまう場合がある
。酸化物半導体膜の窒素濃度は、ＳＩＭＳにおいて、５×１０１９ａｔｏｍｓ／ｃｍ３未
満、好ましくは５×１０１８ａｔｏｍｓ／ｃｍ３以下、より好ましくは１×１０１８ａｔ
ｏｍｓ／ｃｍ３以下、さらに好ましくは５×１０１７ａｔｏｍｓ／ｃｍ３以下とする。
【０１７５】
また、酸化物半導体膜の水素濃度を低減するために、隣接する絶縁膜の水素濃度を低減す
ると好ましい。隣接する絶縁膜の水素濃度はＳＩＭＳにおいて、２×１０２０ａｔｏｍｓ
／ｃｍ３以下、好ましくは５×１０１９ａｔｏｍｓ／ｃｍ３以下、より好ましくは１×１
０１９ａｔｏｍｓ／ｃｍ３以下、さらに好ましくは５×１０１８ａｔｏｍｓ／ｃｍ３以下
とする。また、酸化物半導体膜の窒素濃度を低減するために、隣接する絶縁膜の窒素濃度
を低減すると好ましい。隣接する絶縁膜の窒素濃度は、ＳＩＭＳにおいて、５×１０１９
ａｔｏｍｓ／ｃｍ３未満、好ましくは５×１０１８ａｔｏｍｓ／ｃｍ３以下、より好まし
くは１×１０１８ａｔｏｍｓ／ｃｍ３以下、さらに好ましくは５×１０１７ａｔｏｍｓ／
ｃｍ３以下とする。
【０１７６】
以下では、酸化物半導体膜の構造について説明する。
【０１７７】
酸化物半導体膜は、非単結晶酸化物半導体膜と単結晶酸化物半導体膜とに大別される。非
単結晶酸化物半導体膜とは、ＣＡＡＣ−ＯＳ（Ｃ  Ａｘｉｓ  Ａｌｉｇｎｅｄ  Ｃｒｙｓ
ｔａｌｌｉｎｅ  Ｏｘｉｄｅ  Ｓｅｍｉｃｏｎｄｕｃｔｏｒ）膜、多結晶酸化物半導体膜
、微結晶酸化物半導体膜、非晶質酸化物半導体膜などをいう。
【０１７８】
まずは、ＣＡＡＣ−ＯＳ膜について説明する。
【０１７９】
ＣＡＡＣ−ＯＳ膜は、複数の結晶部を有する酸化物半導体膜の一つであり、ほとんどの結
晶部は、一辺が１００ｎｍ未満の立方体内に収まる大きさである。したがって、ＣＡＡＣ
−ＯＳ膜に含まれる結晶部は、一辺が１０ｎｍ未満、５ｎｍ未満または３ｎｍ未満の立方
体内に収まる大きさの場合も含まれる。
【０１８０】
ＣＡＡＣ−ＯＳ膜を透過型電子顕微鏡（ＴＥＭ：Ｔｒａｎｓｍｉｓｓｉｏｎ  Ｅｌｅｃｔ
ｒｏｎ  Ｍｉｃｒｏｓｃｏｐｅ）によって観察すると、明確な結晶部同士の境界、即ち結
晶粒界（グレインバウンダリーともいう。）を確認することができない。そのため、ＣＡ
ＡＣ−ＯＳ膜は、結晶粒界に起因する電子移動度の低下が起こりにくいといえる。
【０１８１】
ＣＡＡＣ−ＯＳ膜を、試料面と略平行な方向からＴＥＭによって観察（断面ＴＥＭ観察）
すると、結晶部において、金属原子が層状に配列していることを確認できる。金属原子の
各層は、ＣＡＡＣ−ＯＳ膜を形成する面（被形成面ともいう。）または上面の凹凸を反映
した形状であり、ＣＡＡＣ−ＯＳ膜の被形成面または上面と平行に配列する。
【０１８２】
一方、ＣＡＡＣ−ＯＳ膜を、試料面と略垂直な方向からＴＥＭによって観察（平面ＴＥＭ
観察）すると、結晶部において、金属原子が三角形状または六角形状に配列していること
を確認できる。しかしながら、異なる結晶部間で、金属原子の配列に規則性は見られない
。
【０１８３】
断面ＴＥＭ観察および平面ＴＥＭ観察より、ＣＡＡＣ−ＯＳ膜の結晶部は配向性を有して
いることがわかる。
【０１８４】
ＣＡＡＣ−ＯＳ膜に対し、Ｘ線回折（ＸＲＤ：Ｘ−Ｒａｙ  Ｄｉｆｆｒａｃｔｉｏｎ）装
置を用いて構造解析を行うと、例えばＩｎＧａＺｎＯ４の結晶を有するＣＡＡＣ−ＯＳ膜
のｏｕｔ−ｏｆ−ｐｌａｎｅ法による解析では、回折角（２θ）が３１°近傍にピークが
現れる場合がある。このピークは、ＩｎＧａＺｎＯ４の結晶の（００９）面に帰属される
ことから、ＣＡＡＣ−ＯＳ膜の結晶がｃ軸配向性を有し、ｃ軸が被形成面または上面に略
垂直な方向を向いていることが確認できる。
【０１８５】
なお、本明細書において、結晶が三方晶または菱面体晶である場合、六方晶系として表す
。
【０１８６】
一方、ＣＡＡＣ−ＯＳ膜に対し、ｃ軸に略垂直な方向からＸ線を入射させるｉｎ−ｐｌａ
ｎｅ法による解析では、２θが５６°近傍にピークが現れる場合がある。このピークは、
ＩｎＧａＺｎＯ４の結晶の（１１０）面に帰属される。ＩｎＧａＺｎＯ４の単結晶酸化物
半導体膜であれば、２θを５６°近傍に固定し、試料面の法線ベクトルを軸（φ軸）とし
て試料を回転させながら分析（φスキャン）を行うと、（１１０）面と等価な結晶面に帰
属されるピークが６本観察される。これに対し、ＣＡＡＣ−ＯＳ膜の場合は、２θを５６
°近傍に固定してφスキャンした場合でも、明瞭なピークが現れない。
【０１８７】
以上のことから、ＣＡＡＣ−ＯＳ膜では、異なる結晶部間ではａ軸およびｂ軸の配向は不
規則であるが、ｃ軸配向性を有し、かつｃ軸が被形成面または上面の法線ベクトルに平行
な方向を向いていることがわかる。したがって、前述の断面ＴＥＭ観察で確認された層状
に配列した金属原子の各層は、結晶のａｂ面に平行な面である。
【０１８８】
なお、結晶部は、ＣＡＡＣ−ＯＳ膜を成膜した際、または加熱処理などの結晶化処理を行
った際に形成される。上述したように、結晶のｃ軸は、ＣＡＡＣ−ＯＳ膜の被形成面また
は上面の法線ベクトルに平行な方向に配向する。したがって、例えば、ＣＡＡＣ−ＯＳ膜
の形状をエッチングなどによって変化させた場合、結晶のｃ軸がＣＡＡＣ−ＯＳ膜の被形
成面または上面の法線ベクトルと平行にならないこともある。
【０１８９】
また、ＣＡＡＣ−ＯＳ膜中の結晶化度が均一でなくてもよい。例えば、ＣＡＡＣ−ＯＳ膜
の結晶部が、ＣＡＡＣ−ＯＳ膜の上面近傍からの結晶成長によって形成される場合、上面
近傍の領域は、被形成面近傍の領域よりも結晶化度が高くなることがある。また、ＣＡＡ
Ｃ−ＯＳ膜に不純物を添加する場合、不純物が添加された領域の結晶化度が変化し、部分
的に結晶化度の異なる領域が形成されることもある。
【０１９０】
なお、ＩｎＧａＺｎＯ４の結晶を有するＣＡＡＣ−ＯＳ膜のｏｕｔ−ｏｆ−ｐｌａｎｅ法
による解析では、２θが３１°近傍のピークの他に、２θが３６°近傍にもピークが現れ
る場合がある。２θが３６°近傍のピークは、ＣＡＡＣ−ＯＳ膜中の一部に、ｃ軸配向性
を有さない結晶が含まれることを示している。ＣＡＡＣ−ＯＳ膜は、２θが３１°近傍に
ピークを示し、２θが３６°近傍にピークを示さないことが好ましい。
【０１９１】
ＣＡＡＣ−ＯＳ膜は、不純物濃度の低い酸化物半導体膜である。不純物は、水素、炭素、
シリコン、遷移金属元素などの酸化物半導体膜の主成分以外の元素である。特に、シリコ
ンなどの、酸化物半導体膜を構成する金属元素よりも酸素との結合力の強い元素は、酸化
物半導体膜から酸素を奪うことで酸化物半導体膜の原子配列を乱し、結晶性を低下させる
要因となる。また、鉄やニッケルなどの重金属、アルゴン、二酸化炭素などは、原子半径
（または分子半径）が大きいため、酸化物半導体膜内部に含まれると、酸化物半導体膜の
原子配列を乱し、結晶性を低下させる要因となる。なお、酸化物半導体膜に含まれる不純
物は、キャリアトラップやキャリア発生源となる場合がある。
【０１９２】
また、ＣＡＡＣ−ＯＳ膜は、欠陥準位密度の低い酸化物半導体膜である。例えば、酸化物
半導体膜中の酸素欠損は、キャリアトラップとなることや、水素を捕獲することによって
キャリア発生源となることがある。
【０１９３】
不純物濃度が低く、欠陥準位密度が低い（酸素欠損の少ない）ことを、高純度真性または
実質的に高純度真性と呼ぶ。高純度真性または実質的に高純度真性である酸化物半導体膜
は、キャリア発生源が少ないため、キャリア密度を低くすることができる。したがって、
当該酸化物半導体膜を用いたトランジスタは、しきい値電圧がマイナスとなる電気特性（
ノーマリーオンともいう。）になることが少ない。また、高純度真性または実質的に高純
度真性である酸化物半導体膜は、キャリアトラップが少ない。そのため、当該酸化物半導
体膜を用いたトランジスタは、電気特性の変動が小さく、信頼性の高いトランジスタとな
る。なお、酸化物半導体膜のキャリアトラップに捕獲された電荷は、放出するまでに要す
る時間が長く、あたかも固定電荷のように振る舞うことがある。そのため、不純物濃度が
高く、欠陥準位密度が高い酸化物半導体膜を用いたトランジスタは、電気特性が不安定と
なる場合がある。
【０１９４】
また、ＣＡＡＣ−ＯＳ膜を用いたトランジスタは、可視光や紫外光の照射による電気特性
の変動が小さい。
【０１９５】
次に、微結晶酸化物半導体膜について説明する。
【０１９６】
微結晶酸化物半導体膜は、ＴＥＭによる観察像では、明確に結晶部を確認することができ
ない場合がある。微結晶酸化物半導体膜に含まれる結晶部は、１ｎｍ以上１００ｎｍ以下
、または１ｎｍ以上１０ｎｍ以下の大きさであることが多い。特に、１ｎｍ以上１０ｎｍ
以下、または１ｎｍ以上３ｎｍ以下の微結晶であるナノ結晶（ｎｃ：ｎａｎｏｃｒｙｓｔ
ａｌ）を有する酸化物半導体膜を、ｎｃ−ＯＳ（ｎａｎｏｃｒｙｓｔａｌｌｉｎｅ  Ｏｘ
ｉｄｅ  Ｓｅｍｉｃｏｎｄｕｃｔｏｒ）膜と呼ぶ。また、ｎｃ−ＯＳ膜は、例えば、ＴＥ
Ｍによる観察像では、結晶粒界を明確に確認できない場合がある。
【０１９７】
ｎｃ−ＯＳ膜は、微小な領域（例えば、１ｎｍ以上１０ｎｍ以下の領域、特に１ｎｍ以上
３ｎｍ以下の領域）において原子配列に周期性を有する。また、ｎｃ−ＯＳ膜は、異なる
結晶部間で結晶方位に規則性が見られない。そのため、全体で配向性が見られない。した
がって、ｎｃ−ＯＳ膜は、分析方法によっては、非晶質酸化物半導体膜と区別が付かない
場合がある。例えば、ｎｃ−ＯＳ膜に対し、結晶部よりも大きい径のＸ線を用いるＸＲＤ
装置を用いて構造解析を行うと、ｏｕｔ−ｏｆ−ｐｌａｎｅ法による解析では、結晶面を
示すピークが検出されない。また、ｎｃ−ＯＳ膜は、結晶部よりも大きいプローブ径（例
えば５０ｎｍ以上）の電子線を用いる電子線回折（制限視野電子線回折ともいう。）を行
うと、ハローパターンのような回折パターンが観測される。一方、ｎｃ−ＯＳ膜に対し、
結晶部の大きさと近いか結晶部より小さいプローブ径（例えば１ｎｍ以上３０ｎｍ以下）
の電子線を用いる電子線回折（ナノビーム電子線回折ともいう。）を行うと、スポットが
観測される。また、ｎｃ−ＯＳ膜に対しナノビーム電子線回折を行うと、円を描くように
（リング状に）輝度の高い領域が観測される場合がある。また、ｎｃ−ＯＳ膜に対しナノ
ビーム電子線回折を行うと、リング状の領域内に複数のスポットが観測される場合がある
。
【０１９８】
ｎｃ−ＯＳ膜は、非晶質酸化物半導体膜よりも規則性の高い酸化物半導体膜である。その
ため、ｎｃ−ＯＳ膜は、非晶質酸化物半導体膜よりも欠陥準位密度が低くなる。ただし、
ｎｃ−ＯＳ膜は、異なる結晶部間で結晶方位に規則性が見られない。そのため、ｎｃ−Ｏ
Ｓ膜は、ＣＡＡＣ−ＯＳ膜と比べて欠陥準位密度が高くなる。
【０１９９】
なお、酸化物半導体膜は、例えば、非晶質酸化物半導体膜、微結晶酸化物半導体膜、ＣＡ
ＡＣ−ＯＳ膜のうち、二種以上を有してもよい。
【０２００】
酸化物半導体膜は、酸化物半導体膜の積層膜であってもよい。例えば、酸化物半導体膜は
、２層構造、３層構造であってもよい。
【０２０１】
例えば、酸化物半導体膜が３層構造の場合について説明する。
【０２０２】
２層目（中層）は、上述の酸化物半導体膜についての記載を参照する。１層目（下層）お
よび３層目（上層）は、２層目を構成する酸素以外の元素一種以上、または二種以上から
構成される酸化物半導体膜である。２層目を構成する酸素以外の元素一種以上、または二
種以上から１層目および３層目が構成されるため、１層目と２層目との界面、および２層
目と３層目との界面において、界面準位が形成されにくい。
【０２０３】
なお、１層目がＩｎ−Ｍ−Ｚｎ酸化物のとき、ＩｎおよびＭの和を１００ａｔｏｍｉｃ％
とするとき、好ましくはＩｎが５０ａｔｏｍｉｃ％未満、Ｍが５０ａｔｏｍｉｃ％より高
く、さらに好ましくはＩｎが２５ａｔｏｍｉｃ％未満、Ｍが７５ａｔｏｍｉｃ％より高く
する。また、２層目がＩｎ−Ｍ−Ｚｎ酸化物のとき、ＩｎおよびＭの和を１００ａｔｏｍ
ｉｃ％とするとき、好ましくはＩｎが２５ａｔｏｍｉｃ％より高く、Ｍが７５ａｔｏｍｉ
ｃ％未満、さらに好ましくはＩｎが３４ａｔｏｍｉｃ％より高く、Ｍが６６ａｔｏｍｉｃ
％未満とする。また、３層目がＩｎ−Ｍ−Ｚｎ酸化物のとき、ＩｎおよびＭの和を１００
ａｔｏｍｉｃ％とするとき、Ｉｎが５０ａｔｏｍｉｃ％未満、Ｍが５０ａｔｏｍｉｃ％よ
り高く、さらに好ましくはＩｎが２５ａｔｏｍｉｃ％未満、Ｍが７５ａｔｏｍｉｃ％より
高くする。なお、３層目は、１層目と同種の酸化物を用いても構わない。
【０２０４】
ここで、１層目と２層目との間には、１層目と２層目との混合領域を有する場合がある。
また、２層目と３層目との間には、２層目と３層目との混合領域を有する場合がある。混
合領域は、界面準位密度が低くなる。そのため、１層目、２層目および３層目の積層体は
、それぞれの界面近傍において、エネルギーが連続的に変化する（連続接合ともいう。）
バンド構造となる。
【０２０５】
２層目は、１層目および３層目よりも電子親和力の大きい酸化物を用いる。例えば、２層
目として、１層目および３層目よりも電子親和力の０．０７ｅＶ以上１．３ｅＶ以下、好
ましくは０．１ｅＶ以上０．７ｅＶ以下、さらに好ましくは０．１５ｅＶ以上０．４ｅＶ
以下大きい酸化物を用いる。なお、電子親和力は、真空準位と伝導帯下端のエネルギーと
の差である。
【０２０６】
このとき、ゲート電極に電界を印加すると、１層目、２層目、３層目のうち、電子親和力
の大きい２層目にチャネルが形成される。
【０２０７】
また、トランジスタのオン電流を大きくするためには、３層目の厚さは小さいほど好まし
い。例えば、３層目は、１０ｎｍ未満、好ましくは５ｎｍ以下、さらに好ましくは３ｎｍ
以下とする。一方、３層目は、チャネルの形成される２層目へ、隣接する絶縁膜を構成す
る酸素以外の元素（シリコンなど）が入り込まないようブロックする機能を有する。その
ため、３層目は、ある程度の厚さを有することが好ましい。例えば、３層目の厚さは、０
．３ｎｍ以上、好ましくは１ｎｍ以上、さらに好ましくは２ｎｍ以上とする。
【０２０８】
また、信頼性を高めるためには、１層目は厚く、３層目は薄いことが好ましい。具体的に
は、１層目の厚さは、２０ｎｍ以上、好ましくは３０ｎｍ以上、さらに好ましくは４０ｎ
ｍ以上、より好ましくは６０ｎｍ以上とする。１層目の厚さを、２０ｎｍ以上、好ましく
は３０ｎｍ以上、さらに好ましくは４０ｎｍ以上、より好ましくは６０ｎｍ以上とするこ
とで、隣接する絶縁膜と１層目との界面からチャネルの形成される２層目までを２０ｎｍ
以上、好ましくは３０ｎｍ以上、さらに好ましくは４０ｎｍ以上、より好ましくは６０ｎ
ｍ以上離すことができる。ただし、半導体装置の生産性が低下する場合があるため、１層
目の厚さは、２００ｎｍ以下、好ましくは１２０ｎｍ以下、さらに好ましくは８０ｎｍ以
下とする。
【０２０９】
例えば、２層目と１層目との間におけるシリコン濃度を、ＳＩＭＳにおいて、１×１０１
９ａｔｏｍｓ／ｃｍ３未満、好ましくは５×１０１８ａｔｏｍｓ／ｃｍ３未満、さらに好
ましくは２×１０１８ａｔｏｍｓ／ｃｍ３未満とする。また、２層目と３層目との間にお
けるシリコン濃度を、ＳＩＭＳにおいて、１×１０１９ａｔｏｍｓ／ｃｍ３未満、好まし
くは５×１０１８ａｔｏｍｓ／ｃｍ３未満、さらに好ましくは２×１０１８ａｔｏｍｓ／
ｃｍ３未満とする。
【０２１０】
また、２層目の水素濃度を低減するために、１層目および３層目の水素濃度を低減すると
好ましい。１層目および３層目の水素濃度はＳＩＭＳにおいて、２×１０２０ａｔｏｍｓ
／ｃｍ３以下、好ましくは５×１０１９ａｔｏｍｓ／ｃｍ３以下、より好ましくは１×１
０１９ａｔｏｍｓ／ｃｍ３以下、さらに好ましくは５×１０１８ａｔｏｍｓ／ｃｍ３以下
とする。また、２層目の窒素濃度を低減するために、１層目および３層目の窒素濃度を低
減すると好ましい。１層目および３層目の窒素濃度は、ＳＩＭＳにおいて、５×１０１９
ａｔｏｍｓ／ｃｍ３未満、好ましくは５×１０１８ａｔｏｍｓ／ｃｍ３以下、より好まし
くは１×１０１８ａｔｏｍｓ／ｃｍ３以下、さらに好ましくは５×１０１７ａｔｏｍｓ／
ｃｍ３以下とする。
【０２１１】
上述の３層構造は一例である。例えば、１層目または３層目のない２層構造としても構わ
ない。
【０２１２】
＜モジュール＞
以下では、本発明の一態様の半導体装置を適用した表示モジュールについて、図１８を用
いて説明を行う。
【０２１３】
図１８に示す表示モジュール８０００は、上部カバー８００１と下部カバー８００２との
間に、ＦＰＣ８００３に接続されたタッチパネル８００４、ＦＰＣ８００５に接続された
表示パネル８００６、バックライトユニット８００７、フレーム８００９、プリント基板
８０１０、バッテリー８０１１を有する。なお、バックライトユニット８００７、バッテ
リー８０１１、タッチパネル８００４などを有さない場合もある。
【０２１４】
本発明の一態様の半導体装置は、例えば、表示パネル８００６に用いることができる。
【０２１５】
上部カバー８００１および下部カバー８００２は、タッチパネル８００４および表示パネ
ル８００６のサイズに合わせて、形状や寸法を適宜変更することができる。
【０２１６】
タッチパネル８００４は、抵抗膜方式または静電容量方式のタッチパネルを表示パネル８
００６に重畳して用いることができる。また、表示パネル８００６の対向基板（封止基板
）に、タッチパネル機能を持たせるようにすることも可能である。または、表示パネル８
００６の各画素内に光センサを設け、光学式のタッチパネルとすることも可能である。ま
たは、表示パネル８００６の各画素内にタッチセンサ用電極を設け、静電容量方式のタッ
チパネルとすることも可能である。
【０２１７】
バックライトユニット８００７は、光源８００８を有する。光源８００８をバックライト
ユニット８００７の端部に設け、光拡散板を用いる構成としてもよい。
【０２１８】
フレーム８００９は、表示パネル８００６の保護機能の他、プリント基板８０１０の動作
により発生する電磁波を遮断するための電磁シールドとしての機能を有してもよい。また
フレーム８００９は、放熱板としての機能を有していてもよい。
【０２１９】
プリント基板８０１０は、電源回路、ビデオ信号およびクロック信号を出力するための信
号処理回路を有する。電源回路に電力を供給する電源としては、外部の商用電源であって
もよいし、別途設けたバッテリー８０１１による電源であってもよい。商用電源を用いる
場合には、バッテリー８０１１を有さなくてもよい。
【０２２０】
また、表示モジュール８０００には、偏光板、位相差板、プリズムシートなどの部材を追
加して設けてもよい。
【０２２１】
＜電子機器＞
以下では、本発明の一態様の表示装置が適用された電子機器や照明装置の例について、図
面を参照して説明する。
【０２２２】
フレキシブルな形状を備える表示装置を適用した電子機器として、例えば、テレビジョン
装置（テレビ、またはテレビジョン受信機ともいう）、コンピュータ用などのモニタ、デ
ジタルカメラ、デジタルビデオカメラ、デジタルフォトフレーム、携帯情報端末（携帯電
話、携帯電話装置ともいう）、携帯型ゲーム機、携帯情報端末、音響再生装置、パチンコ
機などの大型ゲーム機などが挙げられる。
【０２２３】
また、照明装置や表示装置を、家屋やビルの内壁または外壁や、自動車の内装または外装
の曲面に沿って組み込むことも可能である。
【０２２４】
図１９（Ａ）は、携帯情報端末の一例を示している。携帯情報端末７４００は、筐体７４
０１に組み込まれた表示部７４０２の他、操作ボタン７４０３、外部接続ポート７４０４
、スピーカ７４０５、マイク７４０６などを備えている。なお、携帯情報端末７４００は
、表示装置を表示部７４０２に用いることにより作製される。
【０２２５】
図１９（Ａ）に示す携帯情報端末７４００は、表示部７４０２を指などで触れることで、
情報を入力することができる。また、電話を掛ける、または文字を入力するなどのあらゆ
る操作は、表示部７４０２を指などで触れることにより行うことができる。
【０２２６】
また操作ボタン７４０３の操作により、電源のＯＮ、ＯＦＦや、表示部７４０２に表示さ
れる画像の種類を切り替えることができる。例えば、メール作成画面から、メインメニュ
ー画面に切り替えることができる。
【０２２７】
ここで、表示部７４０２には、本発明の一態様の表示装置が組み込まれている。したがっ
て、湾曲した表示部を備え、かつ信頼性の高い携帯情報端末とすることができる。
【０２２８】
図１９（Ｂ）は、リストバンド型の表示装置の一例を示している。携帯表示装置７１００
は、筐体７１０１、表示部７１０２、操作ボタン７１０３、および送受信装置７１０４を
備える。
【０２２９】
携帯表示装置７１００は、送受信装置７１０４によって映像信号を受信可能で、受信した
映像を表示部７１０２に表示することができる。また、音声信号を他の受信機器に送信す
ることもできる。
【０２３０】
また、操作ボタン７１０３によって、電源のＯＮ、ＯＦＦ動作や表示する映像の切り替え
、または音声のボリュームの調整などを行うことができる。
【０２３１】
ここで、表示部７１０２には、本発明の一態様の表示装置が組み込まれている。したがっ
て、湾曲した表示部を備え、かつ信頼性の高い携帯表示装置とすることができる。
【０２３２】
図１９（Ｃ）乃至図１９（Ｄ）は、照明装置の一例を示している。照明装置７２１０、照
明装置７２２０はそれぞれ、操作スイッチ７２０３を備える台部７２０１と、台部７２０
１に支持される発光部を有する。
【０２３３】
図１９（Ｃ）に示す照明装置７２１０の備える発光部７２１２は、凸状に湾曲した２つの
発光部が対称的に配置された構成となっている。したがって照明装置７２１０を中心に全
方位を照らすことができる。
【０２３４】
図１９（Ｄ）に示す照明装置７２２０は、凹状に湾曲した発光部７２２２を備える。した
がって、発光部７２２２からの発光を、照明装置７２２０の前面に集光するため、特定の
範囲を明るく照らす場合に適している。
【０２３５】
また、照明装置７２１０および照明装置７２２０が備える各々の発光部はフレキシブル性
を有しているため、当該発光部を可塑性の部材や可動なフレームなどの部材で固定し、用
途に合わせて発光部の発光面を自在に湾曲可能な構成としてもよい。
【０２３６】
ここで、照明装置７２１０および照明装置７２２０が備える各々の発光部には、本発明の
一態様の表示装置が組み込まれている。したがって、湾曲した表示部を備え、かつ信頼性
の高い照明装置とすることができる。
【０２３７】
図２０（Ａ）に、携帯型の表示装置の一例を示す。表示装置７３００は、筐体７３０１、
表示部７３０２、操作ボタン７３０３、引き出し部材７３０４、制御部７３０５を備える
。
【０２３８】
表示装置７３００は、筒状の筐体７３０１内にロール状に巻かれたフレキシブルな表示部
７３０２を備える。表示部７３０２は、遮光層などが形成された第１の基板と、トランジ
スタなどが形成された第２の基板を有する。表示部７３０２は、筐体７３０１内において
常に第２の基板が外側になるように巻かれている。
【０２３９】
また、表示装置７３００は制御部７３０５によって映像信号を受信可能で、受信した映像
を表示部７３０２に表示することができる。また、制御部７３０５にはバッテリーを備え
る。また、制御部７３０５にコネクターを備え、映像信号や電力を直接供給する構成とし
てもよい。
【０２４０】
また、操作ボタン７３０３によって、電源のＯＮ、ＯＦＦ動作や表示する映像の切り替え
等を行うことができる。
【０２４１】
図２０（Ｂ）に、表示部７３０２を引き出し部材７３０４により引き出した状態を示す。
この状態で表示部７３０２に映像を表示することができる。また、筐体７３０１の表面に
配置された操作ボタン７３０３によって、片手で容易に操作することができる。
【０２４２】
なお、表示部７３０２を引き出した際に表示部７３０２が湾曲しないよう、表示部７３０
２の端部に補強のためのフレームを設けていてもよい。
【０２４３】
なお、この構成以外に、筐体にスピーカを設け、映像信号とともに受信した音声信号によ
って音声を出力する構成としてもよい。
【０２４４】
表示部７３０２には、本発明の一態様の表示装置が組み込まれている。したがって、表示
部７３０２はフレキシブルでかつ信頼性の高い表示装置であるため、表示装置７３００は
軽量でかつ信頼性の高い表示装置とすることができる。
【０２４５】
なお、本発明の一態様の表示装置を具備していれば、上記で示した電子機器や照明装置に
特に限定されないことは言うまでもない。
【０２４６】
実施の形態に示す構成および方法などは、実施の形態に示す他の構成および方法などと適
宜組み合わせて用いることができる。
【実施例１】
【０２４７】
本実施例では、本発明の一態様に係るＥＬ表示装置を作製した。
【０２４８】
表２にＥＬ表示装置の仕様を示す。
【０２４９】
【表２】
2020184086.tif 000004
【０２５０】
本発明の一態様に係るＥＬ表示装置は、１３．３インチの表示領域に対し、５億個に近い
数のトランジスタを有する。また、４０％を超える高い開口率を有する。
【０２５１】
なお、ＥＬ表示装置は、図２２に示した走査線駆動回路を有する。なお、配線Ｇ２に接続
するインバータの端子、および配線Ｇ３に接続するインバータの端子の位置は、図２３（
Ａ）、図２３（Ｂ）および図２３（Ｃ）にそれぞれ示した通りである。なお、該走査線駆
動回路の構成要素であるシフトレジスタには、図２６に示したシフトレジスタを用いた。
【０２５２】
図３０に、走査線駆動回路の出力波形を示す。ＧＣＫ１で示したクロック周波数は６４．
８ｋＨｚである。このとき、配線Ｇ１の出力信号の振幅電圧は、およそ２０Ｖであった。
即ち、本実施例で作製したＥＬ表示装置は、短い選択期間においても、配線Ｇ１を十分に
充電できていることがわかる。
【０２５３】
図２１にＥＬ表示装置の写真を示す。また、図３１に、ＥＬ表示装置のＲＧＢ各色の色座
標を示す。図３１より、ＮＴＳＣ比は８４％より高いことがわかる。よって、図２１およ
び図３１より、本実施例で作製したＥＬ表示装置は、素子の密度が高いにも関わらず、高
い表示品位を有することがわかる。
【符号の説明】
【０２５４】
１００    基板
１０４    導電膜
１１２    絶縁膜
１１４    導電膜
１１６    導電膜
１１８    絶縁膜
７００    基板
７０４ａ    導電膜
７０４ｂ    導電膜
７０６    半導体膜
７０７    半導体膜
７１２ａ    絶縁膜
７１２ｂ    絶縁膜
７１４ａ    導電膜
７１４ｂ    導電膜
７１６ａ    導電膜
７１６ｂ    導電膜
７１８ａ    絶縁膜
７１８ｂ    絶縁膜
７１８ｃ    絶縁膜
７１９    発光素子
７２０    絶縁膜
７２１    絶縁膜
７３１    端子
７３２    ＦＰＣ
７３３ａ    配線
７３４    シール材
７３５    駆動回路
７３６    駆動回路
７３７    画素
７４１    トランジスタ
７４２    容量素子
７４３    スイッチ素子
７４４    信号線
７５０    基板
７５１    トランジスタ
７５２    容量素子
７５３    液晶素子
７５４    走査線
７５５    信号線
７８１    導電膜
７８２    発光層
７８３    導電膜
７８４    隔壁
７９１    導電膜
７９２    絶縁膜
７９３    液晶層
７９４    絶縁膜
７９５    スペーサ
７９６    導電膜
７９７    基板
９００    基板
９０４ａ    導電膜
９０４ｂ    導電膜
９０４ｃ    導電膜
９０４ｄ    導電膜
９０４ｅ    導電膜
９０４ｆ    導電膜
９０６    半導体膜
９０６ａ    半導体膜
９０６ｂ    半導体膜
９０６ｃ    半導体膜
９０６ｄ    半導体膜
９０８    絶縁膜
９１２ａ    絶縁膜
９１２ｂ    絶縁膜
９１４ａ    導電膜
９１４ｂ    導電膜
９１４ｃ    導電膜
９１４ｄ    導電膜
９１６ａ    導電膜
９１６ｂ    導電膜
９１６ｃ    導電膜
９１６ｄ    導電膜
９１６ｅ    導電膜
９１６ｆ    導電膜
９１６ｇ    導電膜
９１８ａ    絶縁膜
９１８ｂ    絶縁膜
９１８ｃ    絶縁膜
９１９    発光素子
９２６ａ    導電膜
９２６ｂ    導電膜
９２６ｃ    導電膜
９２８    絶縁膜
９２８ａ    開口部
９２８ｂ    開口部
９２８ｃ    開口部
９３２    透明膜
９３４    導電膜
９３６    絶縁膜
９３８    開口部
９３８ａ    開口部
９３８ｂ    開口部
９３８ｃ    開口部
９３８ｄ    開口部
９３８ｅ    開口部
９３８ｆ    開口部
９３８ｇ    開口部
９４０    スペーサ
９４８ａ    開口部
９４８ｂ    開口部
９４８ｃ    開口部
９５８    開口部
９６８    開口部
９７１    トランジスタ
９７２    トランジスタ
９７３    トランジスタ
９７４    トランジスタ
９７５    トランジスタ
９７６    容量素子
７１００    携帯表示装置
７１０１    筐体
７１０２    表示部
７１０３    操作ボタン
７１０４    送受信装置
７２０１    台部
７２０３    操作スイッチ
７２１０    照明装置
７２１２    発光部
７２２０    照明装置
７２２２    発光部
７３００    表示装置
７３０１    筐体
７３０２    表示部
７３０３    操作ボタン
７３０４    部材
７３０５    制御部
７４００    携帯情報端末
７４０１    筐体
７４０２    表示部
７４０３    操作ボタン
７４０４    外部接続ポート
７４０５    スピーカ
７４０６    マイク
８０００    表示モジュール
８００１    上部カバー
８００２    下部カバー
８００３    ＦＰＣ
８００４    タッチパネル
８００５    ＦＰＣ
８００６    表示パネル
８００７    バックライトユニット
８００８    光源
８００９    フレーム
８０１０    プリント基板
８０１１    バッテリー
【図１】
2020184086.tif 000005
【図２】
2020184086.tif 000006
【図３】
2020184086.tif 000007
【図４】
2020184086.tif 000008
【図５】
2020184086.tif 000009
【図６】
2020184086.tif 000010
【図７】
2020184086.tif 000011
【図８】
2020184086.tif 000012
【図９】
2020184086.tif 000013
【図１０】
2020184086.tif 000014
【図１１】
2020184086.tif 000015
【図１２】
2020184086.tif 000016
【図１３】
2020184086.tif 000017
【図１４】
2020184086.tif 000018
【図１５】
2020184086.tif 000019
【図１６】
2020184086.tif 000020
【図１７】
2020184086.tif 000021
【図１８】
2020184086.tif 000022
【図１９】
2020184086.tif 000023
【図２０】
2020184086.tif 000024
【図２１】
2020184086.tif 000025
【図２２】
2020184086.tif 000026
【図２３】
2020184086.tif 000027
【図２４】
2020184086.tif 000028
【図２５】
2020184086.tif 000029
【図２６】
2020184086.tif 000030
【図２７】
2020184086.tif 000031
【図２８】
2020184086.tif 000032
【図２９】
2020184086.tif 000033
【図３０】
2020184086.tif 000034
【図３１】
2020184086.tif 000035